【手続補正書】
【提出日】平成28年9月27日(2016.9.27)
【手続補正１】
【補正対象書類名】明細書
【補正対象項目名】全文
【補正方法】変更
【補正の内容】
【発明の詳細な説明】
【発明の名称】表示装置およびその駆動方法
【技術分野】
【０００１】
本発明は表示装置およびその駆動方法に関し、特に、電気泳動層を備えた表示装置およびその駆動方法に関する。
【背景技術】
【０００２】
画像を表示する表示層として、例えば帯電粒子としての電気泳動粒子を含む電気泳動層を備えた表示装置がある。このような表示装置は、例えば、アレイ基板と、アレイ基板と対向配置された対向基板と、アレイ基板と対向基板との間に挟まれた電気泳動層と、を有する。アレイ基板には、例えばスイッチング素子としての薄膜トランジスタ（Thin Film Transistor；ＴＦＴ）が形成されている。
【０００３】
このような表示装置では、例えば、複数の画素の各々において、各画素に設けられた画素電極と、複数の画素に対して共通に設けられた駆動電極との間に、電圧が印加されることにより、電気泳動層に電界が形成される。このとき、帯電粒子としての電気泳動粒子が電界の方向または電界の方向とは逆の方向に移動することにより、複数の画素の各々において、画像が表示される。
【０００４】
例えば、特開２００６−２２７２４９号公報（特許文献１）、特開２００９−２５８７３５号公報（特許文献２）および特開２０１４−０２９５４６号公報（特許文献３）には、表示装置において、画像を表示する表示層として、電気泳動層を備える技術が記載されている。
【先行技術文献】
【特許文献】
【０００５】
【特許文献１】特開２００６−２２７２４９号公報
【特許文献２】特開２００９−２５８７３５号公報
【特許文献３】特開２０１４−０２９５４６号公報
【発明の概要】
【発明が解決しようとする課題】
【０００６】
このような電気泳動層を備える表示装置の表示面側に、タッチパネルあるいはタッチセンサと呼ばれる入力装置を設け、タッチパネルに指やタッチペンなどの入力具などを接触させて入力動作を行ったときに、入力位置を検出することが考えられる。また、入力装置に指などが接触した接触位置を検出する検出方式の一つとして、静電容量方式を用いることが考えられる。静電容量方式を用いた入力装置では、入力装置の面内に、誘電層を挟んで対向配置された一対の電極、すなわち駆動電極および検出電極からなる複数の容量素子が設けられている。そして、指やタッチペンなどの入力具を容量素子に接触させて入力動作を行ったときに、容量素子に容量が追加され、検出容量が変化することを利用して、入力位置を検出する。
【０００７】
ところが、表示装置の表示面側に入力装置を外付けで取り付けた場合には、画像を表示するための駆動電極を、入力位置を検出するための電極としても動作させることは、できない。そのため、入力位置を検出するための電極を、表示装置の表示面側に、画像を表示するための駆動電極とは別に設けなくてはならない。
【０００８】
また、電気泳動層を備える表示装置では、液晶表示装置に比べ、表示を書き換える速度が遅く、表示を書き換える周波数に対するタッチ検出を繰り返す周波数の比が大きい。そのため、電気泳動層を備える表示装置では、液晶表示装置に比べ、タッチ検出の応答性を向上させることが困難である。
【０００９】
本発明は、上述のような従来技術の問題点を解決すべくなされたものであって、電気泳動層を備える表示装置において、画像を表示するための駆動電極を、入力位置を検出するための電極としても動作させることができ、タッチ検出の応答性を向上させることができる表示装置を提供することを目的とする。
【課題を解決するための手段】
【００１０】
本願において開示される発明のうち、代表的なものの概要を簡単に説明すれば、次のとおりである。
【００１１】
本発明の一態様としての表示装置は、第１基板と、第１基板と対向配置された第２基板と、第１基板と第２基板との間に挟まれた電気泳動層と、第１基板の第１主面の第１領域に設けられた複数の第１電極と、第２基板の第２主面の第２領域に設けられた複数の第２電極と、複数の第２電極に第１駆動信号および第２駆動信号を供給する第１駆動部と、複数の第２電極の各々の静電容量に基づいて入力位置を検出する第１検出部と、を有する。第１領域は、第１複数の第１部分領域に分割され、第２領域は、第１複数よりも小さい第２複数の第２部分領域に分割されている。第１複数の第１部分領域の各々に、複数の第１電極のうちのいずれかが配置され、第１複数の第１部分領域の各々に、複数の第２電極のうちのいずれかが配置され、第２複数の第２部分領域の各々に、複数の第２電極のうちのいずれかが配置されている。第１駆動部は、複数の第２電極のうち、第１複数の第１部分領域から選択された第１部分領域に配置された第２電極に、第１駆動信号を供給する第１駆動処理と、複数の第２電極のうち、第２複数の第２部分領域から選択された第２部分領域に配置された第２電極に、第２駆動信号を供給する第２駆動処理と、を交互に繰り返す繰り返し処理を行う。第１駆動部は、第１駆動処理において、選択された第１部分領域に配置された第２電極と、複数の第１電極のうち、選択された第１部分領域に配置された第１電極との間に電界を形成することにより、選択された第１部分領域で画像を表示する。第１検出部は、第２駆動処理において、選択された第２部分領域に配置された第２電極の静電容量に基づいて、選択された第２部分領域で入力位置を検出する。第１駆動部は、繰り返し処理において、第１駆動処理と第２駆動処理とを、第１複数の第１部分領域から選択される第１部分領域を順次循環的に変更し、かつ、第２複数の第２部分領域から選択される第２部分領域を順次循環的に変更しながら、交互に繰り返す。
【００１２】
また、本発明の一態様としての表示装置の駆動方法において、表示装置は、第１基板と、第１基板と対向配置された第２基板と、第１基板と第２基板との間に挟まれた電気泳動層と、第１基板の第１主面の第１領域に設けられた複数の第１電極と、第２基板の第２主面の第２領域に設けられた複数の第２電極と、複数の第２電極に第１駆動信号および第２駆動信号を供給する第１駆動部と、複数の第２電極の各々の静電容量に基づいて入力位置を検出する第１検出部と、を有する。第１領域は、第１複数の第１部分領域に分割され、第２領域は、第１複数よりも小さい第２複数の第２部分領域に分割され、第１複数の第１部分領域の各々に、複数の第１電極のうちのいずれかが配置され、第１複数の第１部分領域の各々に、複数の第２電極のうちのいずれかが配置され、第２複数の第２部分領域の各々に、複数の第２電極のうちのいずれかが配置されている。また、当該表示装置の駆動方法は、複数の第２電極のうち、第１複数の第１部分領域から選択された第１部分領域に配置された第２電極に、第１駆動部により第１駆動信号を供給する（ａ）工程と、複数の第２電極のうち、第２複数の第２部分領域から選択された第２部分領域に配置された第２電極に、第１駆動部により第２駆動信号を供給する（ｂ）工程と、を有する。（ａ）工程では、選択された第１部分領域に配置された第２電極と、複数の第１電極のうち、選択された第１部分領域に配置された第１電極との間に電界を形成することにより、選択された第１部分領域で画像を表示する。（ｂ）工程では、選択された第２部分領域に配置された第２電極の静電容量に基づいて、選択された第２部分領域で第１検出部により入力位置を検出する。（ａ）工程と（ｂ）工程とを、第１複数の第１部分領域から選択される第１部分領域を順次循環的に変更し、かつ、第２複数の第２部分領域から選択される第２部分領域を順次循環的に変更しながら、交互に繰り返す。
【図面の簡単な説明】
【００１３】
【図１】実施の形態１の表示装置の一構成例を示すブロック図である。
【図２】タッチ検出デバイスに指が接触または近接した状態を表す説明図である。
【図３】タッチ検出デバイスに指が接触または近接した状態の等価回路の例を示す説明図である。
【図４】駆動信号および検出信号の波形の一例を示す図である。
【図５】実施の形態１の表示装置を実装したモジュールの一例を示す平面図である。
【図６】実施の形態１の表示装置のタッチ検出機能付き表示デバイスの構成の一例を示す断面図である。
【図７】実施の形態１の表示装置のタッチ検出機能付き表示デバイスの構成の一例を示す断面図である。
【図８】実施の形態１の表示装置における駆動電極および補助電極の構成の一例を模式的に示す平面図である。
【図９】実施の形態１の表示装置のタッチ検出機能付き表示デバイスを示す回路図である。
【図１０】実施の形態１の表示装置の駆動電極および検出電極の一構成例を示す斜視図である。
【図１１】表示装置の１フレーム期間における動作を模式的に示す図である。
【図１２】表示装置の１フレーム期間における動作を模式的に示す図である。
【図１３】複数の表示動作期間の各々で順次選択される部分表示領域を模式的に示す図である。
【図１４】複数のタッチ検出動作期間の各々で順次選択される部分検出領域を模式的に示す図である。
【図１５】タッチ検出動作期間における各種の信号を示すタイミング波形図である。
【図１６】表示装置の１フレーム期間に含まれる複数の表示動作期間および複数のタッチ検出動作期間における動作の一例を模式的に示す図である。
【図１７】比較例における表示装置の１フレーム期間における動作を模式的に示す図である。
【図１８】表示装置の１フレーム期間に含まれる複数の表示動作期間および複数のタッチ検出動作期間における動作の他の例を模式的に示す図である。
【図１９】表示装置の１フレーム期間に含まれる複数の表示動作期間および複数のタッチ検出動作期間における動作の他の例を模式的に示す図である。
【図２０】各画素の階調レベルを制御する場合における、複数の１フレーム期間にわたる階調および画素信号を示すタイミング波形図である。
【図２１】各画素の階調を制御する場合における、互いに隣り合う４つの副画素における階調レベルを制御した例を模式的に示す図である。
【図２２】各画素の階調を制御する場合における、フレーム期間に含まれる複数の表示動作期間および複数のタッチ検出動作期間における動作の一例を模式的に示す図である。
【図２３】実施の形態１の第１変形例のタッチ検出機能付き表示デバイスを示す断面図である。
【図２４】実施の形態１の第１変形例における駆動電極および補助電極の構成を模式的に示す平面図である。
【図２５】実施の形態１の第２変形例のタッチ検出機能付き表示デバイスを示す断面図である。
【図２６】実施の形態１の第２変形例における駆動電極および補助電極の構成を模式的に示す平面図である。
【図２７】実施の形態１の第３変形例のタッチ検出機能付き表示デバイスを示す断面図である。
【図２８】実施の形態１の第３変形例における駆動電極および補助電極の構成を模式的に示す平面図である。
【図２９】実施の形態２の表示装置の一構成例を示すブロック図である。
【図３０】自己容量方式における検出電極の電気的な接続状態を表す説明図である。
【図３１】自己容量方式における検出電極の電気的な接続状態を表す説明図である。
【図３２】実施の形態２の表示装置のタッチ検出機能付き表示デバイスの構成の一例を示す断面図である。
【図３３】実施の形態２の表示装置における駆動電極および補助電極の構成の一例を模式的に示す平面図である。
【図３４】実施の形態２の第１変形例のタッチ検出機能付き表示デバイスを示す断面図である。
【図３５】実施の形態２の第１変形例における駆動電極および補助電極の構成を模式的に示す平面図である。
【図３６】実施の形態２の第２変形例のタッチ検出機能付き表示デバイスを示す断面図である。
【図３７】実施の形態２の第２変形例における駆動電極および補助電極の構成を模式的に示す平面図である。
【図３８】実施の形態２の第３変形例のタッチ検出機能付き表示デバイスを示す断面図である。
【図３９】実施の形態２の第３変形例における駆動電極および補助電極の構成を模式的に示す平面図である。
【発明を実施するための形態】
【００１４】
以下に、本発明の各実施の形態について、図面を参照しつつ説明する。
【００１５】
なお、開示はあくまで一例にすぎず、当業者において、発明の主旨を保っても適宜変更について容易に想到し得るものについては、当然に本発明の範囲に含有されるものである。また、図面は説明をより明確にするため、実施の態様に比べ、各部の幅、厚さ、形状等について模式的に表される場合があるが、あくまで一例であって、本発明の解釈を限定するものではない。
【００１６】
また本明細書と各図において、既出の図に関して前述したものと同様の要素には、同一の符号を付して、詳細な説明を適宜省略することがある。
【００１７】
さらに、実施の形態で用いる図面においては、断面図であっても図面を見やすくするためにハッチングを省略する場合もある。また、平面図であっても図面を見やすくするためにハッチングを付す場合もある。
【００１８】
また、以下の実施の形態において、Ａ〜Ｂとして範囲を示す場合には、特に明示した場合を除き、Ａ以上Ｂ以下を示すものとする。
【００１９】
（実施の形態１）
初めに、実施の形態１として、電気泳動表示デバイスが備えられた表示装置が、駆動電極と検出電極とが設けられた、相互容量方式の入力装置としてのタッチ検出デバイスを有する例について説明する。実施の形態１の表示装置は、入力装置としてのタッチパネルを備えた表示装置を、インセルタイプのタッチ検出機能付き表示装置に適用したものである。
【００２０】
なお、本願明細書では、入力装置とは、少なくとも電極に対して近接または接触する物体の容量に応じて変化する静電容量を検出する入力装置である。また、インセルタイプのタッチ検出機能付き表示装置とは、表示装置に含まれるアレイ基板２および対向基板３のいずれか一方にタッチ検出用の検出電極が設けられた表示装置である。また、本実施の形態１においては、画像を表示するための駆動電極が、入力位置を検出するための電極としても動作するように設けられている、という特徴を持つインセルタイプのタッチ検出機能付き表示装置について述べる。
【００２１】
＜全体構成＞
初めに、図１を参照し、実施の形態１の表示装置の全体構成について説明する。図１は、実施の形態１の表示装置の一構成例を示すブロック図である。
【００２２】
本実施の形態１の表示装置１は、タッチ検出機能付き表示デバイス１０と、制御部１１と、ゲートドライバ１２と、ソースドライバ１３と、駆動電極ドライバ１４と、タッチ検出部４０と、を備えている。ソースドライバ１３と、駆動電極ドライバ１４とにより、走査駆動部５０が形成されている。
【００２３】
タッチ検出機能付き表示デバイス１０は、表示デバイス２０と、タッチ検出デバイス３０とを有する。表示デバイス２０は、本実施の形態１では、表示素子として電気泳動表示素子を用いた表示デバイスとする。したがって、以下では、表示デバイス２０を、電気泳動表示デバイス２０と称する場合がある。タッチ検出デバイス３０は、静電容量方式のタッチ検出デバイス、すなわち静電容量型のタッチ検出デバイスである。そのため、表示装置１は、タッチ検出機能を有する入力装置を備えた表示装置である。また、タッチ検出機能付き表示デバイス１０は、電気泳動表示デバイス２０と、タッチ検出デバイス３０とを一体化した表示デバイスであり、タッチ検出機能を内蔵した表示デバイス、すなわちインセルタイプのタッチ検出機能付き表示デバイスである。
【００２４】
なお、実施の形態２の第３変形例で後述するように、タッチ検出機能付き表示デバイス１０は、表示デバイス２０の上に、タッチ検出デバイス３０を装着した表示デバイスであってもよい。
【００２５】
表示デバイス２０は、ゲートドライバ１２から供給される走査信号Ｖｓｃａｎに従って、表示領域において、１水平ラインずつ順次走査を行うことにより表示を行う。タッチ検出デバイス３０は、後述するように、静電容量型タッチ検出の原理に基づいて動作し、検出信号Ｖｄｅｔを出力する。
【００２６】
制御部１１は、外部より供給された映像信号Ｖｄｉｓｐに基づいて、ゲートドライバ１２、ソースドライバ１３、駆動電極ドライバ１４およびタッチ検出部４０に対してそれぞれ制御信号を供給し、これらが互いに同期して動作するように制御する回路である。
【００２７】
ゲートドライバ１２は、制御部１１から供給される制御信号に基づいて、タッチ検出機能付き表示デバイス１０の表示駆動の対象となる１水平ラインを順次選択する機能を有している。
【００２８】
ソースドライバ１３は、制御部１１から供給される画像信号Ｖｓｉｇの制御信号に基づいて、タッチ検出機能付き表示デバイス１０に含まれた副画素ＳＰｉｘ（後述する図７参照）に、画素信号Ｖｐｉｘを供給する回路である。
【００２９】
走査駆動部５０に含まれる駆動電極ドライバ１４は、表示動作を行う際に、制御部１１から供給される制御信号に基づいて、タッチ検出機能付き表示デバイス１０に含まれる駆動電極ＣＯＭＬ１および駆動電極ＣＯＭＬ２（後述する図５または図６参照）に、表示駆動信号Ｖｃｏｍｄを供給する回路である。また、走査駆動部５０に含まれる駆動電極ドライバ１４は、タッチ検出動作を行う際に、制御部１１から供給される制御信号に基づいて、タッチ検出機能付き表示デバイス１０に含まれる駆動電極ＣＯＭＬ１（後述する図５または図６参照）に、タッチ検出駆動信号Ｖｃｏｍｔを供給する回路である。
【００３０】
なお、走査駆動部５０に含まれる駆動電極ドライバ１４は、タッチ検出動作を行う際に、制御部１１から供給される制御信号に基づいて、駆動電極ＣＯＭＬ１と電気的に接続された補助電極ＡＥ１（後述する図６参照）に、タッチ検出駆動信号Ｖｃｏｍｔを供給するようにしてもよい。すなわち、駆動電極ドライバ１４は、タッチ検出動作を行う際に、駆動電極ＣＯＭＬ１と電気的に接続された補助電極ＡＥ１（後述する図６参照）に、タッチ検出駆動信号Ｖｃｏｍｔに含まれる交流信号と同相の交流信号からなるタッチ検出駆動信号Ｖｃｏｍｔを供給するようにしてもよい。
【００３１】
タッチ検出部４０は、制御部１１から供給される制御信号と、タッチ検出機能付き表示デバイス１０のタッチ検出デバイス３０から供給された検出信号Ｖｄｅｔに基づいて、タッチ検出デバイス３０に対する指やタッチペンなどの入力具のタッチ、すなわち後述する接触または近接の状態、の有無を検出する回路である。そして、タッチ検出部４０は、タッチがある場合においてタッチ検出領域におけるその座標、すなわち入力位置などを求める回路である。タッチ検出部４０は、タッチ検出信号増幅部４２と、Ａ／Ｄ（Analog/Digital）変換部４３と、信号処理部４４と、座標抽出部４５と、検出タイミング制御部４６と、を備えている。
【００３２】
タッチ検出信号増幅部４２は、タッチ検出デバイス３０から供給される検出信号Ｖｄｅｔを増幅する。タッチ検出信号増幅部４２は、検出信号Ｖｄｅｔに含まれる高い周波数成分、すなわちノイズ成分を除去し、タッチ成分を取り出してそれぞれ出力する低域通過アナログフィルタを備えていてもよい。
【００３３】
＜静電容量型タッチ検出の原理＞
次に、図１〜図４を参照し、本実施の形態１の表示装置１におけるタッチ検出の原理について説明する。図２は、タッチ検出デバイスに指が接触または近接した状態を表す説明図である。図３は、タッチ検出デバイスに指が接触または近接した状態の等価回路の例を示す説明図である。図４は、駆動信号および検出信号の波形の一例を示す図である。
【００３４】
図２に示すように、静電容量型タッチ検出においては、タッチパネルあるいはタッチセンサと呼ばれる入力装置は、誘電体Ｄを挟んで互いに対向配置された駆動電極Ｅ１および検出電極Ｅ２を有する。これらの駆動電極Ｅ１および検出電極Ｅ２により容量素子Ｃ１が形成されている。図３に示すように、容量素子Ｃ１の一端は、駆動信号源である交流信号源Ｓに接続され、容量素子Ｃ１の他端は、タッチ検出部である電圧検出器ＤＥＴに接続される。電圧検出器ＤＥＴは、例えば図１に示すタッチ検出信号増幅部４２に含まれる積分回路からなる。
【００３５】
交流信号源Ｓから容量素子Ｃ１の一端、すなわち駆動電極Ｅ１に、例えば数ｋＨｚ〜数百ｋＨｚ程度の周波数を有する交流矩形波Ｓｇが印加されると、容量素子Ｃ１の他端、すなわち検出電極Ｅ２側に接続された電圧検出器ＤＥＴを介して、出力波形である検出信号Ｖｄｅｔが発生する。なお、この交流矩形波Ｓｇは、例えば図４に示すタッチ検出駆動信号Ｖｃｏｍｔに相当するものである。
【００３６】
指が接触および近接していない状態、すなわち非接触状態では、図３に示すように、容量素子Ｃ１に対する充放電に伴って、容量素子Ｃ１の容量値に応じた電流Ｉ１が流れる。電圧検出器ＤＥＴは、交流矩形波Ｓｇに応じた電流Ｉ１の変動を、電圧の変動に変換する。この電圧の変動は、図４において、実線の波形Ｖ０で示されている。
【００３７】
一方、指が接触または近接した状態、すなわち接触状態では、指によって形成される静電容量Ｃ２の影響を受け、駆動電極Ｅ１および検出電極Ｅ２により形成される容量素子Ｃ１の容量値が小さくなる。そのため、図３に示す容量素子Ｃ１に流れる電流Ｉ１が変動する。電圧検出器ＤＥＴは、交流矩形波Ｓｇに応じた電流Ｉ１の変動を電圧の変動に変換する。この電圧の変動は、図４において、破線の波形Ｖ１で示されている。この場合、波形Ｖ１は、上述した波形Ｖ０と比べて振幅が小さくなる。これにより、波形Ｖ０と波形Ｖ１との電圧差分の絶対値｜ΔＶ｜は、指などの外部から近接する物体の影響に応じて変化することになる。なお、電圧検出器ＤＥＴは、波形Ｖ０と波形Ｖ１との電圧差分の絶対値｜ΔＶ｜を精度よく検出するため、回路内のスイッチングにより、交流矩形波Ｓｇの周波数に合わせて、コンデンサの充放電をリセットする期間Ｒｅｓｅｔを設けた動作とすることが好ましい。
【００３８】
図１に示す例では、タッチ検出デバイス３０は、駆動電極ドライバ１４から供給されるタッチ検出駆動信号Ｖｃｏｍｔに従って、１つまたは複数の駆動電極ＣＯＭＬ１（後述する図５または図６参照）に対応した１つの検出ブロックすなわち部分検出領域Ａｔｐ（後述する図１３参照）ごとに、タッチ検出を行う。すなわち、タッチ検出デバイス３０は、１つまたは複数の駆動電極ＣＯＭＬ１に対応した１つの部分検出領域Ａｔｐごとに、図３に示す電圧検出器ＤＥＴを介して、検出信号Ｖｄｅｔを出力し、出力した検出信号Ｖｄｅｔを、タッチ検出部４０のタッチ検出信号増幅部４２に供給する。
【００３９】
Ａ／Ｄ変換部４３は、タッチ検出駆動信号Ｖｃｏｍｔに同期したタイミングで、タッチ検出信号増幅部４２から出力されるアナログ信号をそれぞれサンプリングしてデジタル信号に変換する回路である。
【００４０】
信号処理部４４は、Ａ／Ｄ変換部４３の出力信号に含まれる、タッチ検出駆動信号Ｖｃｏｍｔをサンプリングした周波数以外の周波数成分、すなわちノイズ成分を低減するデジタルフィルタを備えている。信号処理部４４は、Ａ／Ｄ変換部４３の出力信号に基づいて、タッチ検出デバイス３０に対するタッチの有無を検出する論理回路である。信号処理部４４は、指による差分の電圧のみを取り出す処理を行う。この指による差分の電圧は、上述した波形Ｖ０と波形Ｖ１との差分の絶対値｜ΔＶ｜である。信号処理部４４は、１つの部分検出領域当たりの絶対値｜ΔＶ｜を平均化する演算を行い、絶対値｜ΔＶ｜の平均値を求めてもよい。これにより、信号処理部４４は、ノイズによる影響を低減できる。信号処理部４４は、検出した指による差分の電圧を所定のしきい値電圧と比較し、このしきい値電圧以上であれば、外部から近接する外部近接物体の接触状態と判断し、しきい値電圧未満であれば、外部近接物体の非接触状態と判断する。このようにして、タッチ検出部４０によるタッチ検出が行われる。
【００４１】
座標抽出部４５は、信号処理部４４においてタッチが検出されたときに、タッチが検出された位置の座標、すなわちタッチパネルにおける入力位置を求める論理回路である。検出タイミング制御部４６は、Ａ／Ｄ変換部４３と、信号処理部４４と、座標抽出部４５とが同期して動作するように制御する。座標抽出部４５は、タッチパネル座標を信号出力Ｖｏｕｔとして出力する。
【００４２】
＜モジュール＞
図５は、実施の形態１の表示装置を実装したモジュールの一例を示す平面図である。
【００４３】
図５に示すように、実施の形態１におけるタッチ検出機能付き表示デバイス１０は、基板２１と、基板３１と、複数の駆動電極ＣＯＭＬ１と、複数の駆動電極ＣＯＭＬ２と、を有する。
【００４４】
基板２１は、一方の主面としての上面と、上面と反対側の他方の主面としての下面と、を有する。また、基板３１は、一方の主面としての上面と、上面と反対側の他方の主面としての下面と、を有する。ここで、基板２１の上面内もしくは基板３１の下面内、または、基板３１の上面内もしくは基板３１の下面内で、互いに交差、好適には直交する２つの方向を、Ｘ軸方向およびＹ軸方向とする。このとき、複数の駆動電極ＣＯＭＬ１は、平面視において、Ｘ軸方向にそれぞれ延在し、かつ、Ｙ軸方向に配列されている。また、複数の駆動電極ＣＯＭＬ２は、平面視において、Ｙ軸方向にそれぞれ延在し、かつ、Ｘ軸方向に配列されている。
【００４５】
図７を用いて後述するように、複数の駆動電極ＣＯＭＬ１の各々は、平面視において、Ｘ軸方向に配列された複数の副画素ＳＰｉｘと重なるように設けられている。すなわち、１つの駆動電極ＣＯＭＬ１は、複数の副画素ＳＰｉｘに対して共通な電極として設けられている。
【００４６】
なお、本願明細書では、「平面視において」とは、基板２１の上面または基板３１の上面に垂直な方向から視た場合を意味する。
【００４７】
図５に示す例では、タッチ検出機能付き表示デバイス１０は、平面視において、Ｘ軸方向にそれぞれ延在し、かつ、互いに対向する２つの辺と、Ｙ軸方向にそれぞれ延在し、かつ、互いに対向する２つの辺とを備え、矩形形状を有する。Ｙ軸方向におけるタッチ検出機能付き表示デバイス１０の一方の側には、端子部ＴＭが設けられている。端子部ＴＭと複数の駆動電極ＣＯＭＬ２の各々との間は、それぞれ引き回し配線ＷＲ２により電気的に接続されている。端子部ＴＭは、このモジュールの外部に実装されたタッチ検出部４０（図１参照）と接続されている。したがって、駆動電極ＣＯＭＬ２は、引き回し配線ＷＲ２および端子部ＴＭを介して、タッチ検出部４０と接続されている。
【００４８】
タッチ検出機能付き表示デバイス１０は、ＣＯＧ１９を有する。ＣＯＧ１９は、基板２１に実装されたチップであり、図１に示した制御部１１、ゲートドライバ１２、ソースドライバ１３など、表示動作に必要な各回路を内蔵したものである。また、ＣＯＧ１９は、駆動電極ドライバ１４を内蔵してもよい。ＣＯＧ１９と複数の駆動電極ＣＯＭＬ１の各々との間は、詳細な図示は省略するが、それぞれ引き回し配線ＷＲ１により電気的に接続されている。
【００４９】
なお、基板２１として、例えばガラス基板、または、例えば樹脂からなるフィルムなど、各種の基板を用いることができる。また、基板３１として、例えばＰＥＴ（Polyethylene terephthalate）などの樹脂からなるフィルムなど、各種の、可視光に対して透明な基板を用いることができる。また、本願明細書では、「可視光に対して透明」とは、可視光に対する透過率が例えば９０％以上であることを意味し、可視光に対する透過率とは、例えば３８０〜７８０ｎｍの波長を有する光に対する透過率の平均値を意味する。
【００５０】
＜タッチ検出機能付き表示デバイス＞
次に、図５〜図８を参照し、表示装置のタッチ検出機能付き表示デバイスを説明する。
【００５１】
図６および図７は、実施の形態１の表示装置のタッチ検出機能付き表示デバイスの構成の一例を示す断面図である。図８は、実施の形態１の表示装置における駆動電極および補助電極の構成の一例を模式的に示す平面図である。図７は、図６に示す断面のうち、一つの副画素ＳＰｉｘの周辺の部分であって、ＴＦＴ素子Ｔｒの周辺の部分を拡大して示す。また、図６は、図８のＡ−Ａ線に沿った断面図である。
【００５２】
図９は、実施の形態１の表示装置のタッチ検出機能付き表示デバイスを示す回路図である。図１０は、実施の形態１の表示装置の駆動電極および検出電極の一構成例を示す斜視図である。
【００５３】
タッチ検出機能付き表示デバイス１０は、アレイ基板２と、対向基板３と、電気泳動層５と、保護基板６と、封止部７と、を有する。対向基板３は、アレイ基板２の主面としての上面と、対向基板３の主面としての下面とが対向するように、対向配置されている。電気泳動層５は、アレイ基板２と対向基板３との間に設けられている。すなわち、電気泳動層５は、基板２１の上面と基板３１の下面との間に挟まれている。
【００５４】
アレイ基板２は、基板２１を有する。また、対向基板３は、基板３１を有する。前述したように、基板２１は、一方の主面としての上面と、上面と反対側の他方の主面としての下面と、を有する。また、基板３１は、一方の主面としての上面と、上面と反対側の他方の主面としての下面と、を有する。基板３１は、基板２１の主面としての上面と、基板３１の主面としての下面とが対向するように、基板２１と対向配置されている。基板２１の上面は、上面の一部の領域である表示領域Ａｄを含む。基板３１の上面は、上面の一部の領域であるタッチ検出領域Ａｔを含む。平面視において、表示領域Ａｄとタッチ検出領域Ａｔとは、同一の領域であってもよく、表示領域Ａｄがタッチ検出領域Ａｔ内に配置されていてもよく、あるいは、タッチ検出領域Ａｔが表示領域Ａｄ内に配置されていてもよい。
【００５５】
図６に示すように、アレイ基板２は、基板２１と、絶縁膜２３と、複数の画素電極２２と、を有する。図９に示すように、表示領域Ａｄで、基板２１の上面には、複数の走査線ＧＣＬおよび複数の信号線ＳＧＬが設けられている。また、図７および図９に示すように、基板２１の上面には、複数のＴＦＴ素子Ｔｒが設けられている。ＴＦＴ素子Ｔｒは、例えばｎチャネル型のＭＯＳ（Metal Oxide Semiconductor）としての薄膜トランジスタである。
【００５６】
なお、図６では、図７における絶縁膜２３ｂ、層間樹脂膜２３ｆおよび絶縁膜２３ｇを一体化した絶縁膜２３として図示している。また、走査線は、ゲート配線を意味し、信号線は、ソース配線を意味する。
【００５７】
図９に示すように、基板２１の上面には、複数の走査線ＧＣＬが設けられている。図９に示すように、複数の走査線ＧＣＬは、平面視において、Ｘ軸方向にそれぞれ延在し、かつ、Ｙ軸方向に配列されている。複数の走査線ＧＣＬの各々は、例えばアルミニウム（Ａｌ）またはモリブデン（Ｍｏ）等の不透明な金属からなる。後述する信号線ＳＧＬと走査線ＧＣＬとの交差部において、走査線ＧＣＬからは、ゲート電極２３ａが延設されている。
【００５８】
基板２１の上面には、複数の走査線ＧＣＬ、および、ゲート電極２３ａを覆うように、ゲート絶縁膜としての絶縁膜２３ｂが設けられている。絶縁膜２３ｂは、例えば窒化ケイ素または酸化ケイ素等からなる透明な絶縁膜である。
【００５９】
絶縁膜２３ｂ上には、複数の信号線ＳＧＬが設けられている。複数の信号線ＳＧＬは、平面視において、Ｙ軸方向にそれぞれ延在し、かつ、Ｘ軸方向に配列されている。複数の信号線ＳＧＬの各々は、例えばアルミニウム（Ａｌ）またはモリブデン（Ｍｏ）等の不透明な金属からなる。信号線ＳＧＬと走査線ＧＣＬとの交差部において、信号線ＳＧＬからは、ソース電極２３ｃが延設されている。
【００６０】
平面視においてゲート電極２３ａと重なる部分の絶縁膜２３ｂ上には、半導体層２３ｄが設けられている。半導体層２３ｄは、例えば非晶質シリコンまたは多結晶シリコン等からなる。前述したソース電極２３ｃは、半導体層２３ｄの一部と接触している。
【００６１】
また、絶縁膜２３ｂ上には、走査線ＧＣＬおよびソース電極２３ｃと同一の材料からなるドレイン電極２３ｅが設けられている。ドレイン電極２３ｅは、ソース電極２３ｃと近接配置されており、半導体層２３ｄと部分的に接触している。
【００６２】
好適には、ドレイン電極２３ｅは、信号線ＳＧＬに含まれる導体膜と同層に形成された導体膜からなる。これにより、ドレイン電極２３ｅを、信号線ＳＧＬを形成する工程と同一の工程により形成することができる。
【００６３】
このようにして、複数の走査線ＧＣＬと、複数の信号線ＳＧＬとが交差する複数の交差部の各々に、それぞれＴＦＴ素子Ｔｒが配置されることにより、複数のＴＦＴ素子Ｔｒが設けられている。複数のＴＦＴ素子Ｔｒの各々は、ゲート電極２３ａ、絶縁膜２３ｂ、ソース電極２３ｃ、半導体層２３ｄおよびドレイン電極２３ｅにより形成されたスイッチング素子である。複数のＴＦＴ素子Ｔｒは、基板２１の上面に設けられている。
【００６４】
また、図９に示すように、複数のＴＦＴ素子Ｔｒの各々に対応して複数の副画素ＳＰｉｘが形成されている。複数の副画素ＳＰｉｘは、走査線ＧＣＬが延在する方向（Ｘ軸方向）、および、信号線ＳＧＬが延在する方向（Ｙ軸方向）に、マトリクス状に配置されている。なお、複数の副画素ＳＰｉｘがマトリクス状に配置された領域が、例えば前述した表示領域Ａｄである。
【００６５】
絶縁膜２３ｂ上には、複数の信号線ＳＧＬ、複数のソース電極２３ｃ、複数の半導体層２３ｄ、および、複数のドレイン電極２３ｅを覆うように、層間樹脂膜２３ｆが設けられている。層間樹脂膜２３ｆは、平坦化膜であり、複数の信号線ＳＧＬ、複数のソース電極２３ｃ、複数の半導体層２３ｄ、複数のドレイン電極２３ｅ、および、絶縁膜２３ｂの露出した部分を覆うとともに、複数の信号線ＳＧＬ、複数のソース電極２３ｃ、複数の半導体層２３ｄ、複数のドレイン電極２３ｅ、および、絶縁膜２３ｂの各々の上面からなる凹凸面を平坦化する。層間樹脂膜２３ｆは、例えばフォトレジスト等の透明樹脂材料からなる。
【００６６】
層間樹脂膜２３ｆ上には、絶縁膜２３ｇが設けられている。絶縁膜２３ｇは、例えば窒化ケイ素または酸化ケイ素等からなる透明な絶縁膜である。
【００６７】
絶縁膜２３ｇ上には、複数の画素電極２２が設けられている。すなわち、複数の画素電極２２は、基板２１の上面に設けられている。なお、複数の画素電極２２は、基板２１の下面に設けられてもよい。
【００６８】
複数の画素電極２２は、平面視において、複数の副画素ＳＰｉｘの各々の内部にそれぞれ配置されている。複数の画素電極２２の各々は、例えばＩＴＯまたはＩＺＯ等の透明導電性材料からなる。副画素ＳＰｉｘの周辺では、平面視において、ドレイン電極２３ｅと重なる位置に、絶縁膜２３ｇおよび層間樹脂膜２３ｆを貫通してドレイン電極２３ｅに達する開口部２３ｈが形成されている。画素電極２２は、開口部２３ｈの内壁および、開口部２３ｈの底部に露出したドレイン電極２３ｅ上にも形成されており、開口部２３ｈの底部に露出したドレイン電極２３ｅと、電気的に接続されている。
【００６９】
図６〜図８に示すように、基板２１の上面には、複数の補助電極ＡＥ１からなる補助電極群ＡＥＧが設けられている。複数の補助電極ＡＥ１は、平面視において、表示領域Ａｄまたはタッチ検出領域Ａｔで、基板２１の上面に、走査線ＧＣＬおよびゲート電極２３ａと同層に設けられている。したがって、絶縁膜２３ｂは、複数の補助電極ＡＥ１を覆うように設けられていることになる。複数の補助電極ＡＥ１は、平面視において、Ｘ軸方向にそれぞれ延在し、かつ、Ｙ軸方向に配列されている。
【００７０】
好適には、複数の駆動電極ＣＯＭＬ１の各々は、複数の補助電極ＡＥ１のいずれかと、封止部７の内部に設けられた導通部７１を介して電気的に接続されている。すなわち、複数の補助電極ＡＥ１の各々は、引き回し配線ＷＲ１（図５参照）を介して駆動電極ドライバ１４（図１参照）と電気的に接続されている。これにより、タッチ検出動作を行う際に、駆動電極ＣＯＭＬ１に供給されるタッチ検出駆動信号Ｖｃｏｍｔに含まれる交流信号と同位相の交流信号からなるタッチ検出駆動信号Ｖｃｏｍｔ（図１参照）を、補助電極ＡＥ１に供給することができる。そのため、駆動電極ＣＯＭＬ１と、アレイ基板２に含まれる各配線との間に発生する寄生容量を除去することができ、タッチ検出の感度を向上させることができる。
【００７１】
図６〜図８に示すように、対向基板３は、基板３１と、複数の駆動電極ＣＯＭＬ１と、複数の駆動電極ＣＯＭＬ２と、を有する。
【００７２】
複数の駆動電極ＣＯＭＬ１および複数の駆動電極ＣＯＭＬ２の各々は、例えばＩＴＯまたはＩＺＯなどの透明導電材料からなる。複数の駆動電極ＣＯＭＬ１および複数の検出電極ＣＯＭＬ２は、平面視において、表示領域Ａｄまたはタッチ検出領域Ａｔで、基板３１の下面に設けられている。なお、複数の駆動電極ＣＯＭＬ１または複数の駆動電極ＣＯＭＬ２は、基板３１の上面に設けられてもよい。
【００７３】
複数の駆動電極ＣＯＭＬ１は、平面視において、Ｘ軸方向にそれぞれ延在し、かつ、Ｙ軸方向に配列されている。複数の駆動電極ＣＯＭＬ１の各々は、複数の電極部ＣＰ１と、複数の接続部ＣＮ１と、を含む。複数の電極部ＣＰ１の各々、および、複数の接続部ＣＮ１の各々は、表示領域Ａｄまたはタッチ検出領域Ａｔで、基板３１の下面に設けられている。複数の電極部ＣＰ１は、平面視において、Ｘ軸方向に配列されている。また、Ｘ軸方向で隣り合う２つの電極部ＣＰ１は、接続部ＣＮ１により、電気的に接続されている。
【００７４】
複数の駆動電極ＣＯＭＬ２は、平面視において、Ｙ軸方向にそれぞれ延在し、かつ、Ｘ軸方向に配列されている。複数の駆動電極ＣＯＭＬ２の各々は、複数の電極部ＣＰ２と、複数の接続部ＣＮ２と、を含む。複数の電極部ＣＰ２の各々、および、複数の接続部ＣＮ２の各々は、表示領域Ａｄまたはタッチ検出領域Ａｔで、基板３１の下面に設けられている。複数の電極部ＣＰ２は、平面視において、Ｙ軸方向に配列されている。また、Ｙ軸方向で隣り合う２つの電極部ＣＰ２は、接続部ＣＮ２により、電気的に接続されている。
【００７５】
図６および図８に示す例では、複数の駆動電極ＣＯＭＬ１と、複数の駆動電極ＣＯＭＬ２と、が同層に設けられている。そのため、接続部ＣＮ２は、電極部ＣＰ２と異なる層に設けられており、図示しない絶縁膜を介して、接続部ＣＮ１の各々をそれぞれ跨ぐように設けられている。
【００７６】
電気泳動層５として、例えば複数の帯電粒子としての複数の電気泳動粒子を含むものを用いることができる。また、好適には、図６および図７に示すように、電気泳動層５として、それぞれの内部に複数の電気泳動粒子が封入された複数のマイクロカプセル５１を含むものを用いることができる。
【００７７】
マイクロカプセル５１は、透明なカプセルである。マイクロカプセル５１は、例えばアラビアゴムおよびゼラチンからなる。
【００７８】
マイクロカプセル５１の内部には、分散液５２と、複数の電気泳動粒子としての黒色微粒子５３と、複数の電気泳動粒子としての白色微粒子５４と、が封入されている。分散液５２は、透明な液体からなる。分散液５２は、例えばシリコーンオイルからなる。黒色微粒子５３は、例えば負に帯電したグラファイトからなる。一方、白色微粒子５４は、例えば正に帯電した酸化チタン（ＴｉＯ２）からなる。
【００７９】
なお、図示は省略するが、電気泳動層５の一部であって、マイクロカプセル５１同士の間の部分には、例えば透明なバインダーポリマーが充填されていてもよい。
【００８０】
このような電気泳動層５については、以下のような方法により、アレイ基板２と対向基板３との間に形成することができる。まず、例えばＰＥＴなどの樹脂からなる基板３１の一方の主面に、駆動電極ＣＯＭＬ１および複数の駆動電極ＣＯＭＬ２を形成する。次に、例えばマイクロカプセル５１を、必要に応じて例えば透明なバインダーポリマーと混合した状態で、複数の駆動電極ＣＯＭＬ１上、および、複数の駆動電極ＣＯＭＬ２上に塗布する。次に、マイクロカプセル５１が塗布された基板３１を、マイクロカプセル５１が塗布された側の主面が、基板２１の画素電極２２が形成された側の主面すなわち上面と対向した状態で、基板２１と貼り合わせる。これにより、アレイ基板２に含まれる基板２１と、対向基板３に含まれる基板３１との間に、マイクロカプセル５１からなる電気泳動層５を形成することができる。
【００８１】
電気泳動層５の厚さ、すなわち駆動電極ＣＯＭＬ１の下面と画素電極２２の上面との距離ＤＳＴ１は、例えば３０〜２００μｍ程度である。一方、液晶表示デバイスにおける液晶層の厚さは、例えば３μｍ程度である。したがって、電気泳動層５の厚さは、液晶表示デバイスにおける液晶層の厚さよりも大きい。
【００８２】
図６および図７に示すように、保護基板６は、基板６１と、カラーフィルタ層６２と、光学フィルム６３と、バリアフィルム６４と、を有する。なお、カラーフィルタ層６２は設けられていなくてもよく、このような場合には、実施の形態１の表示装置１は、単色表示の表示装置となる。
【００８３】
基板６１は、主面としての上面と、上面と反対側の主面としての下面とを有している。基板６１として、例えばガラス基板、または、例えばＰＥＴなどの樹脂からなるフィルムなど、各種の、可視光に対して透明な基板を用いることができる。
【００８４】
カラーフィルタ層６２は、基板６１の下面に設けられている。カラーフィルタ層６２として、例えば赤（Ｒ）、緑（Ｇ）および青（Ｂ）の３色に着色されたカラーフィルタ層がＸ軸方向に配列される。このような場合、図９に示すように、Ｒ、ＧおよびＢの３色の色領域６２Ｒ、６２Ｇおよび６２Ｂの各々にそれぞれ対応した複数の副画素ＳＰｉｘが形成され、１組の色領域６２Ｒ、６２Ｇおよび６２Ｂの各々にそれぞれ対応した複数の副画素ＳＰｉｘにより１つの画素Ｐｉｘが形成される。画素Ｐｉｘは、走査線ＧＣＬが延在する方向（Ｘ軸方向）、および、信号線ＳＧＬが延在する方向（Ｙ軸方向）に、マトリクス状に配置されている。また、画素Ｐｉｘがマトリクス状に配置された領域が、例えば前述した表示領域Ａｄである。
【００８５】
カラーフィルタ層６２の色の組み合わせとして、Ｒ、ＧおよびＢ以外の他の色を含む複数の色の組み合わせでもよい。また、カラーフィルタ層６２は、設けられていなくてもよい。あるいは、１つの画素Ｐｉｘが、カラーフィルタ層６２が設けられていない副画素ＳＰｉｘ、すなわち白色の副画素ＳＰｉｘを含んでもよい。
【００８６】
光学フィルム６３およびバリアフィルム６４は、基板６１の下面に、カラーフィルタ層６２を覆うように、順次設けられている。光学フィルム６３およびバリアフィルム６４として、例えば樹脂からなるフィルムなどを用いることができる。
【００８７】
封止部７は、アレイ基板２の外周部と対向基板３の外周部との間に、設けられている。アレイ基板２と対向基板３との間の空間は、その空間の外周を囲むように設けられた封止部７により、封止されている。そして、封止部７により封止された空間には、前述したように、電気泳動層５が設けられている。
【００８８】
封止部７の内部には、導通部７１が設けられている。導通部７１は、補助電極ＡＥ１の端部と、駆動電極ＣＯＭＬ１の端部とを導通させる。すなわち、補助電極ＡＥ１と、駆動電極ＣＯＭＬ１とは、導通部７１を介して電気的に接続されている。導通部７１は、ＩＴＯなどの透明導電材料、または、金属材料からなる微粒子により形成されている。
【００８９】
電気泳動表示デバイス２０は、複数の走査線ＧＣＬと、複数の信号線ＳＧＬと、複数のＴＦＴ素子Ｔｒと、複数の画素電極２２と、複数の駆動電極ＣＯＭＬ１と、複数の駆動電極ＣＯＭＬ２と、複数の電気泳動素子ＥＰと、を有する。電気泳動表示デバイス２０は、１つまたは複数の駆動電極ＣＯＭＬ１に対応した１つの表示ブロックすなわち部分表示領域Ａｄｐ（後述する図１３参照）ごとに、画像の表示を行う。すなわち、電気泳動表示デバイス２０は、１つまたは複数の駆動電極ＣＯＭＬ１に対応した１つの部分表示領域Ａｄｐごとに、表示駆動信号Ｖｃｏｍｄ（図１参照）を供給する。
【００９０】
前述したように、平面視において、互いに交差する複数の走査線ＧＣＬと複数の信号線ＳＧＬとの交点に、副画素ＳＰｉｘが配置され、複数の異なる色の副画素ＳＰｉｘにより１つの画素Ｐｉｘが形成される。また、平面視において、複数の走査線ＧＣＬの各々と複数の信号線ＳＧＬの各々とが交差する交差部には、ＴＦＴ素子Ｔｒが形成されている。したがって、複数の副画素ＳＰｉｘの各々には、ＴＦＴ素子Ｔｒが設けられている。また、複数の副画素ＳＰｉｘの各々には、ＴＦＴ素子Ｔｒに加え、電気泳動素子ＥＰが設けられている。
【００９１】
図９に示すように、ＴＦＴ素子Ｔｒのゲート電極は、走査線ＧＣＬに接続されている。ＴＦＴ素子Ｔｒのソース電極は、信号線ＳＧＬに接続されている。ＴＦＴ素子Ｔｒのドレイン電極は、電気泳動素子ＥＰの一端に接続されている。電気泳動素子ＥＰは、例えば、一端がＴＦＴ素子Ｔｒのドレイン電極に接続され、他端が駆動電極ＣＯＭＬ１に接続されている。
【００９２】
図９に示すように、複数の画素電極２２は、平面視において、表示領域Ａｄで、Ｘ軸方向およびＹ軸方向にマトリクス状に配置された複数の副画素ＳＰｉｘの各々の内部にそれぞれ形成されている。したがって、複数の画素電極２２は、Ｘ軸方向およびＹ軸方向にマトリクス状に配置されている。
【００９３】
図９に示すように、複数の駆動電極ＣＯＭＬ１の各々は、平面視において、複数の画素電極２２と重なるように設けられている。このとき、複数の画素電極２２の各々に、ソースドライバ１３により画素信号Ｖｐｉｘ（図１参照）が供給され、複数の駆動電極ＣＯＭＬ１の各々に、駆動電極ドライバ１４により表示駆動信号Ｖｃｏｍｄ（図１参照）が供給される。そして、複数の画素電極２２の各々と複数の駆動電極ＣＯＭＬ１の各々との間、すなわち複数の副画素ＳＰｉｘの各々に設けられた電気泳動素子ＥＰに、電界が形成されることにより、表示領域Ａｄで画像が表示される。この際に駆動電極ＣＯＭＬ１と画素電極２２との間には容量Ｃａｐが形成され、容量Ｃａｐは保持容量として機能する。
【００９４】
図９に示すように、Ｘ軸方向に配列された複数の副画素ＳＰｉｘ、すなわち電気泳動表示デバイス２０の同一の行に属する複数の副画素ＳＰｉｘは、走査線ＧＣＬにより互いに接続されている。走査線ＧＣＬは、ゲートドライバ１２（図１参照）と接続され、ゲートドライバ１２により走査信号Ｖｓｃａｎ（図１参照）が供給される。また、Ｙ軸方向に配列された複数の副画素ＳＰｉｘ、すなわち電気泳動表示デバイス２０の同一の列に属する複数の副画素ＳＰｉｘは、信号線ＳＧＬにより互いに接続されている。複数の信号線ＳＧＬの各々は、ソースドライバ１３（図１参照）と接続され、ソースドライバ１３により画素信号Ｖｐｉｘ（図１参照）が供給される。
【００９５】
複数の駆動電極ＣＯＭＬ１は、駆動電極ドライバ１４（図１参照）と接続されている。駆動電極ドライバ１４は、表示駆動信号Ｖｃｏｍｄ（図１参照）を、複数の駆動電極ＣＯＭＬ１に、供給する。図９に示す例では、複数の駆動電極ＣＯＭＬ１は、表示領域Ａｄで、Ｘ軸方向にそれぞれ延在し、かつ、Ｙ軸方向に配列されている。そして、同一の行に属する複数の副画素ＳＰｉｘが、１つの駆動電極ＣＯＭＬ１を共有する。
【００９６】
ゲートドライバ１２（図１参照）は、走査信号Ｖｓｃａｎを、走査線ＧＣＬを介して、各副画素ＳＰｉｘのＴＦＴ素子Ｔｒのゲート電極に供給することにより、電気泳動表示デバイス２０においてマトリクス状に形成された副画素ＳＰｉｘのうちの１行、すなわち１水平ラインを表示駆動の対象として順次選択する。
【００９７】
ソースドライバ１３（図１参照）は、画素信号Ｖｐｉｘを、信号線ＳＧＬを介して、ゲートドライバ１２により順次選択される１水平ラインを構成する複数の副画素ＳＰｉｘの各々に含まれる画素電極２２に、それぞれ供給する。
【００９８】
電気泳動表示デバイス２０では、表示動作を行う際に、駆動電極ドライバ１４（図１参照）により、例えばＹ軸方向に１つまたは複数の駆動電極ＣＯＭＬ１に対応した１つの表示ブロックすなわち部分表示領域Ａｄｐ（後述する図１３参照）が、順次選択される。そして、選択された部分表示領域Ａｄｐに配置された１つまたは複数の駆動電極ＣＯＭＬ１に、駆動電極ドライバ１４により表示駆動信号Ｖｃｏｍｄ（図１参照）が供給される。ゲートドライバ１２が走査線ＧＣＬを時分割的に順次走査するように駆動することにより、副画素ＳＰｉｘが、１水平ラインずつ順次選択される。そして、選択された１水平ラインに属する副画素ＳＰｉｘの各々に含まれる画素電極２２に対して、ソースドライバ１３により画素信号Ｖｐｉｘ（図１参照）が供給される。このようにして、選択された部分表示領域Ａｄｐで、複数の画素電極２２の各々と複数の駆動電極ＣＯＭＬ１の各々との間に電界が形成されることにより、選択された部分表示領域Ａｄｐで、１水平ラインずつ画像の表示が行われる。
【００９９】
なお、図９では図示は省略するが、図８に示すように、複数の駆動電極ＣＯＭＬ２は、表示領域Ａｄで、Ｙ軸方向にそれぞれ延在し、かつ、Ｘ軸方向に配列されている。このような場合、同一の列に属する複数の副画素ＳＰｉｘが、１つの駆動電極ＣＯＭＬ２を共有する。そして、選択された部分表示領域Ａｄｐ（後述する図１３参照）に配置された１つまたは複数の駆動電極ＣＯＭＬ１に、駆動電極ドライバ１４により表示駆動信号Ｖｃｏｍｄ（図１参照）が供給される際に、選択された部分表示領域Ａｄｐと平面視において重なる複数の駆動電極ＣＯＭＬ２にも、駆動電極ドライバ１４により表示駆動信号Ｖｃｏｍｄ（図１参照）が供給されてもよい。そして、選択された部分表示領域Ａｄｐで、複数の画素電極２２の各々と複数の駆動電極ＣＯＭＬ２の各々との間に電界が形成されることにより、選択された部分表示領域Ａｄｐで、画像の表示が行われてもよい。
【０１００】
また、表示動作を行う際に、部分表示領域Ａｄｐ（後述する図１３参照）が、順次選択される場合でも、常に全ての部分表示領域Ａｄｐに配置された複数の駆動電極ＣＯＭＬ１に、駆動電極ドライバ１４により表示駆動信号Ｖｃｏｍｄ（図１参照）が供給されてもよい。このような場合であっても、表示動作を行う際に、少なくとも選択された部分表示領域Ａｄｐに配置された１つまたは複数の駆動電極ＣＯＭＬ１には、駆動電極ドライバ１４により表示駆動信号Ｖｃｏｍｄ（図１参照）が供給されることになる。
【０１０１】
一方、タッチ検出デバイス３０は、複数の駆動電極ＤＲＶＬと、対向基板３に設けられた複数の検出電極ＴＤＬと、を有する。
【０１０２】
図６および図８に示す例では、複数の駆動電極ＣＯＭＬ１は、電気泳動表示デバイスの駆動電極として動作し、かつ、タッチ検出デバイスの駆動電極ＤＲＶＬとして動作する。また、複数の駆動電極ＣＯＭＬ２は、電気泳動表示デバイスの駆動電極として動作し、かつ、タッチ検出デバイスの検出電極ＴＤＬとして動作する。
【０１０３】
複数の検出電極ＴＤＬは、平面視において、複数の駆動電極ＤＲＶＬの各々が延在する方向と交差する方向にそれぞれ延在する。言い換えれば、複数の検出電極ＴＤＬは、平面視において複数の駆動電極ＤＲＶＬとそれぞれ交差するように、互いに間隔を空けて配列されている。複数の検出電極ＴＤＬの各々は、タッチ検出部４０のタッチ検出信号増幅部４２（図１参照）にそれぞれ接続されている。
【０１０４】
複数の駆動電極ＤＲＶＬの各々と複数の検出電極ＴＤＬの各々との平面視における交差部には、静電容量が発生する。そして、タッチ検出部４０（図１参照）は、複数の駆動電極ＤＲＶＬの各々と複数の検出電極ＴＤＬの各々との間の静電容量に基づいて、入力位置を検出する。
【０１０５】
図１０に示すように、タッチ検出デバイス３０では、タッチ検出動作を行う際に、駆動電極ドライバ１４により、スキャン方向Ｓｃａｎに１つまたは複数の駆動電極ＤＲＶＬに対応した１つの検出ブロックすなわち部分検出領域Ａｔｐ（後述する図１３参照）が、順次選択される。そして、選択された部分検出領域Ａｔｐに配置された１つまたは複数の駆動電極ＤＲＶＬに、駆動電極ドライバ１４により駆動電極ＤＲＶＬと検出電極ＴＤＬとの間の静電容量を測定するためのタッチ検出駆動信号Ｖｃｏｍｔが入力すなわち供給され、検出電極ＴＤＬから、入力位置を検出するための検出信号Ｖｄｅｔが出力される。このようにタッチ検出デバイス３０では、１つの部分検出領域Ａｔｐごとにタッチ検出が行われるようになっている。なお、駆動電極ＤＲＶＬは、前述したタッチ検出の原理における駆動電極Ｅ１に対応し、検出電極ＴＤＬは、検出電極Ｅ２に対応している。
【０１０６】
図１０に示すように、平面視において、互いに交差した複数の駆動電極ＤＲＶＬと複数の検出電極ＴＤＬは、マトリクス状に配置された静電容量式タッチセンサを形成する。よって、タッチ検出デバイス３０のタッチ検出領域Ａｔの全面を走査することにより、指などが接触または近接した位置を検出することが可能である。
【０１０７】
図６および図８に示すように、補助電極ＡＥ１からなる補助電極群ＡＥＧが設けられていてもよい。また、タッチ検出動作を行う際に、駆動電極ＣＯＭＬ１からなる駆動電極ＤＲＶＬに供給されるタッチ検出駆動信号Ｖｃｏｍｔに含まれる交流信号と同位相の交流信号からなるタッチ検出駆動信号Ｖｃｏｍｔが、補助電極ＡＥ１に供給されてもよい。すなわち、走査駆動部５０が、複数の駆動電極ＤＲＶＬにタッチ検出駆動信号Ｖｃｏｍｔを供給し、かつ、複数の補助電極ＡＥ１にタッチ検出駆動信号Ｖｃｏｍｔを供給する際に、タッチ検出部４０が、複数の駆動電極ＤＲＶＬの各々と複数の検出電極ＴＤＬの各々との間の静電容量に基づいて入力位置を検出してもよい。これにより、駆動電極ＤＲＶＬと、アレイ基板２に含まれる各配線との間に発生する寄生容量を除去することができ、タッチ検出の検出感度を増加させることができる。ただし、補助電極ＡＥ１が設けられていなくてもよい。
【０１０８】
＜駆動方法＞
次に、本実施の形態１の表示装置１の駆動方法を説明する。
【０１０９】
図１１および図１２は、表示装置の１フレーム期間における動作を模式的に示す図である。図１１および図１２における横方向は、時間を示し、図１１および図１２における縦方向は、部分表示領域Ａｄｐおよび部分検出領域Ａｔｐの配列方向を示す。図１２は、後述する図１７を用いて説明する駆動方法の変形例と比較するための図であり、図１１を横方向に圧縮した図である。なお、図１１および図１２では、表示領域Ａｄ（図５参照）全面分の全体の表示駆動処理を、表示駆動処理ＡＶＤＰとして示す。また、図１１および図１２では、タッチ検出領域Ａｔ（図５参照）全面分の全体の検出駆動処理を、検出駆動処理ＡＶＴＰとして示す。
【０１１０】
図１３は、複数の表示動作期間の各々で順次選択される部分表示領域を模式的に示す図である。図１３では、（ａ）は１番目の表示ブロックすなわち部分表示領域Ａｄｐ１が選択されている状態を示し、（ｂ）は２番目の表示ブロックすなわち部分表示領域Ａｄｐ２が選択されている状態を示す。
【０１１１】
図１４は、複数のタッチ検出動作期間の各々で順次選択される部分検出領域を模式的に示す図である。図１４では、（ａ）は１番目の検出ブロックすなわち部分検出領域Ａｔｐ１が選択されている状態を示し、（ｂ）は２番目の検出ブロックすなわち部分検出領域Ａｔｐ２が選択されている状態を示す。
【０１１２】
図１１に示す例では、説明の便宜上、部分表示領域Ａｄｐの個数を１２個とし、部分検出領域Ａｔｐの数を２個としているが、部分検出領域Ａｔｐの個数が部分表示領域Ａｄｐの個数よりも小さければよく、上記の個数に限定されるものではない。したがって、例えば図１３に示すように、部分表示領域Ａｄｐの個数を、１２個よりも大きい個数とすることができ、部分検出領域Ａｔｐの個数を、２個よりも大きく、かつ、部分表示領域Ａｄｐの個数よりも小さい個数とすることができる。
【０１１３】
図１５は、タッチ検出動作期間における各種の信号を示すタイミング波形図である。図１５では、（ａ）はタッチ検出駆動信号Ｖｃｏｍｔの波形を示し、（ｂ）は検出信号Ｖｄｅｔの波形を示し、（ｃ）は実施の形態２で説明するアクティブシールド駆動信号Ｖａｓの波形を示す。
【０１１４】
図１６は、表示装置の１フレーム期間に含まれる複数の表示動作期間および複数のタッチ検出動作期間における動作の一例を模式的に示す図である。図１６は、図１１に示す例と類似した例の一部を拡大して示す図である。前述したように、図１１に示す例では、説明の便宜上、部分表示領域Ａｄｐの個数を１２個とし、部分検出領域Ａｔｐの数を２個として説明した。一方、図１６では、部分表示領域Ａｄｐの個数が、少なくとも１９個以上であり、部分検出領域Ａｔｐの個数が、少なくとも４個以上である例の一部を示している。
【０１１５】
なお、以下では、表示動作期間Ｐｄにおいて、複数の駆動電極ＣＯＭＬ１および複数の駆動電極ＣＯＭＬ２のうち複数の駆動電極ＣＯＭＬ１に表示駆動信号Ｖｃｏｍｄを供給する場合について説明する。しかし、表示動作期間Ｐｄにおいて、複数の駆動電極ＣＯＭＬ１および複数の駆動電極ＣＯＭＬ２に表示駆動信号Ｖｃｏｍｄを供給する場合についても、例えばいずれの表示動作期間Ｐｄにおいても、全ての駆動電極ＣＯＭＬ２に表示駆動信号Ｖｃｏｍｄを供給するようにすればよく、その他の点は、以下の場合と同様にすることができる。
【０１１６】
なお、表示動作期間Ｐｄにおいて、常に複数の駆動電極ＣＯＭＬ１の全てに表示駆動信号Ｖｃｏｍｄを供給してもよい。このような場合でも、表示動作期間Ｐｄにおいて、少なくとも選択された部分表示領域Ａｄｐに配置された駆動電極ＣＯＭＬ１には、表示駆動信号Ｖｃｏｍｄが供給されることになる。
【０１１７】
図１１に示すように、１フレーム期間１Ｆは、互いに交互に繰り返される複数の表示動作期間Ｐｄと複数のタッチ検出動作期間Ｐｔとを有する。
【０１１８】
また、図１３に示すように、表示領域Ａｄは、複数の部分表示領域Ａｄｐに分割されている。すなわち、表示領域Ａｄは、複数の部分表示領域Ａｄｐを含む。そして、複数の部分表示領域Ａｄｐの各々には、複数の駆動電極ＣＯＭＬ１のいずれかが配置されている。また、複数の部分表示領域Ａｄｐの各々には、複数の走査線ＧＣＬのいずれかが配置され、複数の画素電極２２のうち、その部分表示領域Ａｄｐに配置された走査線ＧＣＬとＴＦＴ素子Ｔｒ（図９参照）を介して接続された画素電極２２が配置されている。
【０１１９】
さらに、図１４に示すように、タッチ検出領域Ａｔは、複数の部分検出領域Ａｔｐに分割されている。すなわち、タッチ検出領域Ａｔは、複数の部分検出領域Ａｔｐを含む。そして、複数の部分検出領域Ａｔｐの各々には、複数の駆動電極ＤＲＶＬのいずれかが配置されている。
【０１２０】
まず、図１１、図１３の（ａ）および図１６に示すように、１フレーム期間１Ｆの最初すなわち１番目の表示動作期間Ｐｄである表示動作期間Ｐｄ１において、１回目の表示駆動処理ＤＰが行われる。この１回目の表示駆動処理ＤＰでは、駆動電極ドライバ１４は、表示領域Ａｄに含まれる複数の部分表示領域Ａｄｐのうち最初すなわち１番目の部分表示領域Ａｄｐ１に配置された複数の駆動電極ＣＯＭＬ１に、表示駆動信号Ｖｃｏｍｄ（図１参照）を供給する。
【０１２１】
この１回目の表示駆動処理ＤＰにおいて、ゲートドライバ１２は、まず、１番目の部分表示領域Ａｄｐ１に含まれる１行目の副画素ＳＰｉｘの走査線ＧＣＬに対して、走査信号Ｖｓｃａｎ（図１参照）を供給し、ソースドライバ１３は、各信号線ＳＧＬに対して、画素信号Ｖｐｉｘ（図１参照）を供給する。これにより、１水平期間１Ｈにおける駆動処理ＤＤとして、１行目の副画素ＳＰｉｘに対する表示を行う。
【０１２２】
次に、ゲートドライバ１２は、１番目の部分表示領域Ａｄｐ１に含まれる２行目の副画素ＳＰｉｘの走査線ＧＣＬに対して、走査信号Ｖｓｃａｎを供給し、ソースドライバ１３は、各信号線ＳＧＬに対して、画素信号Ｖｐｉｘを供給する。これにより、１水平期間１Ｈにおける駆動処理ＤＤとして、２行目の副画素ＳＰｉｘに対する表示を行う。
【０１２３】
その後、各行目の副画素ＳＰｉｘの走査線ＧＣＬに対して、走査信号Ｖｓｃａｎを供給し、各信号線ＳＧＬに対して、画素信号Ｖｐｉｘを供給する動作を、繰り返す。このようにして、１回目の表示駆動処理ＤＰが行われ、平面視において、部分表示領域Ａｄｐ１に配置された複数の駆動電極ＣＯＭＬ１の各々と複数の画素電極２２の各々との間に電界が形成されることにより、部分表示領域Ａｄｐ１で画像が表示される。
【０１２４】
なお、図１６に示す例では、１回目の表示駆動処理ＤＰは、１水平期間１Ｈにおける駆動処理ＤＤを２つ含む。
【０１２５】
次に、図１１、図１４の（ａ）および図１６に示すように、１フレーム期間１Ｆの最初すなわち１番目のタッチ検出動作期間Ｐｔであるタッチ検出動作期間Ｐｔ１において、１回目の検出駆動処理ＴＰが行われる。この１回目の検出駆動処理ＴＰでは、タッチ検出領域Ａｔに含まれる複数の部分検出領域Ａｔｐのうち最初すなわち１番目の部分検出領域Ａｔｐ１に配置された複数の駆動電極ＤＲＶＬの各々と、複数の検出電極ＴＤＬの各々と、の間の静電容量を検出する１回目の検出駆動処理ＴＰが行われる。
【０１２６】
この１回目の検出駆動処理ＴＰでは、駆動電極ドライバ１４は、部分検出領域Ａｔｐに含まれる複数の駆動電極ＤＲＶＬの各々に、図１５の（ａ）に示すタッチ検出駆動信号Ｖｃｏｍｔを供給する。複数の駆動電極ＤＲＶＬの各々に供給されたタッチ検出駆動信号Ｖｃｏｍｔは、静電容量を介して複数の検出電極ＴＤＬの各々に伝わり、図１５の（ｂ）に示す検出信号Ｖｄｅｔが発生する。Ａ／Ｄ変換部４３は、タッチ検出駆動信号Ｖｃｏｍｔに同期したサンプリングタイミングｔｓにおいて、検出信号Ｖｄｅｔが入力されたタッチ検出信号増幅部４２の出力信号をＡ／Ｄ変換する。これにより、タッチ検出部４０は、部分検出領域Ａｔｐ１に配置された複数の駆動電極ＤＲＶＬの各々と、複数の検出電極ＴＤＬの各々と、の間の静電容量を検出する１回目の検出駆動処理ＴＰを行う。
【０１２７】
なお、図１６に示す例では、部分検出領域Ａｔｐ１に配置された複数の駆動電極ＤＲＶＬの各々に、同時にタッチ検出駆動信号Ｖｃｏｍｔを供給するので、１回目の検出駆動処理ＴＰは、駆動処理ＤＴを１つ含む。
【０１２８】
次に、図１１、図１３の（ｂ）および図１６に示すように、１フレーム期間１Ｆの２番目の表示動作期間Ｐｄである表示動作期間Ｐｄ２において、２回目の表示駆動処理ＤＰが行われる。この２回目の表示駆動処理ＤＰでは、駆動電極ドライバ１４は、表示領域Ａｄに含まれる複数の部分表示領域Ａｄｐのうち２番目の部分表示領域Ａｄｐ２に配置された複数の駆動電極ＣＯＭＬ１に、表示駆動信号Ｖｃｏｍｄを供給する。具体的な２回目の表示駆動処理ＤＰについては、前述した１回目の表示駆動処理ＤＰと同様にすることができる。このようにして、２回目の表示駆動処理ＤＰが行われ、平面視において、部分表示領域Ａｄｐ２に配置された複数の駆動電極ＣＯＭＬ１の各々と複数の画素電極２２の各々との間に電界が形成されることにより、部分表示領域Ａｄｐ２で画像が表示される。
【０１２９】
次に、図１１、図１４の（ｂ）および図１６に示すように、１フレーム期間１Ｆの２番目のタッチ検出動作期間Ｐｔであるタッチ検出動作期間Ｐｔ２において、２回目の検出駆動処理ＴＰが行われる。この２回目の検出駆動処理ＴＰでは、駆動電極ドライバ１４は、タッチ検出領域Ａｔに含まれる複数の部分検出領域Ａｔｐのうち２番目の部分検出領域Ａｔｐ２に配置された複数の駆動電極ＤＲＶＬの各々と、複数の検出電極ＴＤＬの各々と、の間の静電容量を検出する。具体的な２回目の検出駆動処理ＴＰについては、前述した１回目の検出駆動処理ＴＰと同様にすることができる。
【０１３０】
このようにして、表示駆動処理ＤＰと、検出駆動処理ＴＰとが交互に繰り返される。そして、１フレーム期間１Ｆの最後の表示動作期間Ｐｄにおいて、表示領域Ａｄに含まれる複数の部分表示領域Ａｄｐのうち最後の部分表示領域Ａｄｐに配置された複数の駆動電極ＣＯＭＬ１の各々と複数の画素電極２２の各々との間に電界が形成されることにより、最後の部分表示領域Ａｄｐで画像が表示される。これにより、表示領域Ａｄに含まれる複数の部分表示領域Ａｄｐの各々で表示駆動処理ＤＰが１回ずつ行われる。
【０１３１】
その後、走査駆動部５０（図１参照）は、表示駆動処理ＤＰと検出駆動処理ＴＰとを、複数の部分表示領域Ａｄｐから選択される部分表示領域Ａｄｐを順次循環的に変更し、かつ、複数の部分検出領域Ａｔｐから選択される部分検出領域Ａｔｐを順次循環的に変更しながら、交互に繰り返すことになる。
【０１３２】
本実施の形態１では、表示領域Ａｄは、例えば１２個など、複数であるｍ個の部分表示領域Ａｄｐに分割され、タッチ検出領域Ａｔは、例えば２個など、ｍ個よりも小さい複数であるｎ個の部分検出領域Ａｔｐに分割されている。そして、表示駆動処理ＤＰと検出駆動処理ＴＰとを交互に繰り返すことにより、電気泳動表示デバイス２０が表示領域Ａｄで画像を表示する間に、タッチ検出部４０がタッチ検出領域Ａｔで入力位置を検出する。そのため、表示領域Ａｄに含まれるｍ個の部分表示領域Ａｄｐの各々で表示駆動処理ＤＰを１回ずつ行う間に、タッチ検出領域Ａｔに含まれるｎ個の部分検出領域Ａｔｐのうちいずれの部分検出領域Ａｔｐでも検出駆動処理ＴＰを１回以上行う。すなわち、表示駆動処理ＡＶＤＰを１回行う間に、検出駆動処理ＡＶＴＰを１回以上行う。
【０１３３】
好適には、表示領域Ａｄの部分表示領域Ａｄｐへの分割個数ｍは、タッチ検出領域Ａｔの部分検出領域Ａｔｐへの分割個数ｎの２倍以上である。このような場合、表示領域Ａｄに含まれるｍ個の部分表示領域Ａｄｐの各々で表示駆動処理ＤＰを１回ずつ行う間に、タッチ検出領域Ａｔに含まれるｎ個の部分検出領域Ａｔｐのうちいずれの部分検出領域Ａｔｐでも検出駆動処理ＴＰを２回以上行う。すなわち、表示駆動処理ＡＶＤＰを１回行う間に、検出駆動処理ＡＶＴＰを２回以上行う。
【０１３４】
電気泳動層を備える表示装置の表示を書き換える時間、すなわちマイクロカプセル中で電気泳動粒子を一方の側から他方の側に移動させるのに要する時間は、例えば液晶表示装置の表示を書き換える時間、すなわち液晶分子を回転させるのに要する時間よりも長い。つまり、電気泳動層を備える表示装置の表示を書き換える速度は、例えば液晶表示装置の表示を書き換える速度よりも遅い。
【０１３５】
例えば、液晶表示装置の表示を書き換える速度すなわち周波数は、６０Ｈｚ程度である。また、液晶表示装置の表示を書き換える周期である１フレーム期間、すなわち液晶表示装置において、表示領域に含まれる複数の部分表示領域の各々で表示駆動処理を１回ずつ行う時間は、６０分の１ｓｅｃすなわち１６．７ｍｓｅｃ程度である。
【０１３６】
一方、電気泳動層を備える表示装置の表示を書き換える速度すなわち周波数は、２０Ｈｚ程度である。また、電気泳動層を備える表示装置の表示を書き換える周期である１フレーム期間１Ｆ、すなわち電気泳動層を備える表示装置において、表示領域Ａｄに含まれる複数の部分表示領域Ａｄｐの各々で表示駆動処理ＤＰを１回ずつ行う時間は、２０分の１ｓｅｃすなわち５０ｍｓｅｃ程度である。
【０１３７】
ところが、タッチ検出領域Ａｔに含まれる複数の部分検出領域の各々で検出駆動処理を１回ずつ行う時間は、タッチ検出の応答性を確保する観点から、電気泳動層を備える表示装置でも液晶表示装置でも略等しくすることが望ましい。そのため、電気泳動層を備える表示装置において、タッチ検出を繰り返す速度すなわち周波数は、液晶表示装置を含む表示装置と同様に、１２０Ｈｚ程度である。また、電気泳動層を備える表示装置において、タッチ検出領域Ａｔに含まれる複数の部分検出領域Ａｔｐの各々で検出駆動処理ＴＰを１回ずつ行う時間は、１２０分の１ｓｅｃすなわち８．３ｍｓｅｃ程度である。
【０１３８】
したがって、電気泳動層を備える表示装置における、表示を書き換える周波数に対するタッチ検出を繰り返す周波数の比は、液晶表示装置における、表示を書き換える周波数に対するタッチ検出を繰り返す周波数の比よりも極めて大きくなる。言い換えれば、電気泳動層を備える表示装置における、タッチ検出を繰り返す周期に対する表示を書き換える周期の比は、液晶表示装置における、タッチ検出を繰り返す周期に対する表示を書き換える周期の比よりも極めて大きくなる。
【０１３９】
図１７は、比較例における表示装置の１フレーム期間における動作を模式的に示す図である。
【０１４０】
図１７に示す比較例では、表示駆動処理ＡＶＤＰを行う間には、検出駆動処理ＡＶＴＰを行わない。すなわち、表示領域Ａｄに含まれる複数の部分表示領域Ａｄｐの各々で表示駆動処理ＤＰ（図１１参照）を１回ずつ行う間には、タッチ検出領域Ａｔに含まれる複数の部分検出領域Ａｔｐのうちいずれの部分検出領域Ａｔｐでも検出駆動処理ＴＰ（図１１参照）を行わない。
【０１４１】
そのため、表示領域Ａｄに含まれる複数の部分表示領域Ａｄｐの各々で表示駆動処理ＤＰを１回ずつ行う間のタッチ検出データを取得できないので、タッチ検出の応答性を向上させることが困難である。前述したように、液晶表示装置に比べ、表示を書き換える速度が遅く、表示を書き換える周波数に対するタッチ検出を繰り返す周波数の比が大きい電気泳動層を備える表示装置では、液晶表示装置に比べ、タッチ検出の応答性を向上させることがより困難である。
【０１４２】
また、図１７に示すように、１回目の表示駆動処理ＡＶＤＰを行った後、２回目の表示駆動処理ＡＶＤＰを開始する前に、検出駆動処理ＡＶＴＰを２回行う場合を考える。すなわち、表示領域Ａｄに含まれる複数の部分表示領域Ａｄｐのうち最後の部分表示領域Ａｄｐで表示駆動処理ＤＰ（図１１参照）を行った後、再び最初の部分表示領域Ａｄｐで表示駆動処理ＤＰを開始する前に、タッチ検出領域Ａｔに含まれる複数の部分検出領域Ａｔｐのうちいずれの部分検出領域Ａｔｐについても検出駆動処理ＴＰ（図１１参照）を２回行う場合を考える。
【０１４３】
このような場合、ある部分検出領域Ａｔｐにおいて検出処理を行うタイミングを等間隔にすることができないので、タッチ検出の応答性を向上させることが困難である。前述したように、表示を書き換える周波数に対するタッチ検出を繰り返す周波数の比が大きい電気泳動層を備える表示装置では、液晶表示装置に比べ、タッチ検出の応答性を向上させることがより困難である。
【０１４４】
一方、本実施の形態１では、表示駆動処理ＡＶＤＰを１回行う間に、検出駆動処理ＡＶＴＰを１回以上行う。すなわち、表示領域Ａｄに含まれる複数の部分表示領域Ａｄｐの各々で表示処理を１回ずつ行う間に、タッチ検出領域Ａｔに含まれる複数の部分検出領域Ａｔｐのうちいずれの部分検出領域Ａｔｐでも検出処理を１回以上行う。
【０１４５】
これにより、表示領域Ａｄに含まれる複数の部分表示領域Ａｄｐの各々で表示駆動処理ＤＰを１回ずつ行う間のタッチ検出データについても取得することができるので、タッチ検出の応答性を向上させることができる。また、ある部分検出領域Ａｔｐにおいて検出処理を行うタイミングを等間隔にすることができるので、タッチ検出の応答性を向上させることができる。そのため、表示を書き換える周波数に対するタッチ検出を繰り返す周波数の比が大きい電気泳動表示デバイス２０を含む表示装置でも、表示を書き換える周波数に対するタッチ検出を繰り返す周波数の比が小さい液晶表示装置と同様に、タッチ検出の応答性を向上させることができる。
【０１４６】
電気泳動デバイス２０を含む表示装置１では、駆動電極ＣＯＭＬ１に表示駆動信号Ｖｃｏｍｄが供給されず、画素電極２２に画素信号Ｖｐｉｘが供給されない期間、すなわちタッチ検出動作期間Ｐｔにおいても、表示された画像が保持される。したがって、本実施の形態１では、表示を書き換える周波数に対するタッチ検出を繰り返す周波数の比が、液晶表示デバイスに比べて大きいが、表示された画像を保持することができる。
【０１４７】
図１８および図１９は、表示装置の１フレーム期間に含まれる複数の表示動作期間および複数のタッチ検出動作期間における動作の他の例を模式的に示す図である。図１８および図１９では、図１６と同様に、部分表示領域Ａｄｐの個数が、少なくとも１９個以上であり、部分検出領域Ａｔｐの個数が、少なくとも４個以上である例の一部を示している。
【０１４８】
図１６に示した例では、１つのタッチ検出動作期間Ｐｔの長さ、すなわち１つの検出駆動処理ＴＰを行う時間は、１つの表示動作期間Ｐｄの長さ、すなわち１つの表示駆動処理ＤＰを行う時間よりも短い。一方、図１８に示す例では、１つのタッチ検出動作期間Ｐｔの長さ、すなわち１つの検出駆動処理ＴＰを行う時間は、１つの表示動作期間Ｐｄの長さ、すなわち１つの表示駆動処理ＤＰを行う時間よりも長い。すなわち、図１８に示す例では、１水平期間１Ｈの長さを短くして、例えば６０Ｈｚの周波数で書き換える液晶表示装置における１水平期間１Ｈの長さと略等しくすることにより、１つの表示動作期間Ｐｄの長さを短くする一方で、１つのタッチ検出動作期間Ｐｔの長さを長くする。
【０１４９】
これにより、検出駆動処理ＴＰにおけるタッチ検出のサンプリング回数を多くすることができるので、雑音強度に対する信号強度の比すなわちＳＮ比を高くすることができる。あるいは、検出駆動処理ＴＰにおけるタッチ検出の１回のサンプリング時間を長くすることができるので、１つの部分検出領域Ａｔｐの面積を容易に増加させることができ、表示装置を容易に大面積化することができる。
【０１５０】
さらに、図１９に示す例では、図１８に示すように、１つのタッチ検出動作期間Ｐｔの長さ、すなわち１つの検出処理を行う時間を、１つの表示動作期間Ｐｄの長さ、すなわち１つの表示処理を行う時間よりも長くした上で、さらに１つの部分検出領域Ａｔｐを、複数の部分検出領域Ａｔｐｐに分割して順次検出処理を行う。
【０１５１】
すなわち、図１９に示す例では、複数の部分検出領域Ａｔｐの各々は、複数の部分検出領域Ａｔｐｐに分割されている。言い換えれば、複数の部分検出領域Ａｔｐの各々は、複数の部分検出領域Ａｔｐｐを含む。このとき、複数の部分検出領域Ａｔｐｐの各々に、複数の部分検出領域Ａｔｐの各々に配置された複数の駆動電極ＣＯＭＬ１のうちのいずれかが配置されている。そして、走査駆動部５０は、１つの検出駆動処理ＴＰにおいて、選択された部分検出領域Ａｔｐに配置された複数の駆動電極ＣＯＭＬ１のうち、複数の部分検出領域Ａｔｐｐから順次選択された１つの部分検出領域Ａｔｐｐに配置された複数の駆動電極ＣＯＭＬ１に、タッチ検出駆動信号Ｖｃｏｍｔを供給する駆動処理ＤＴを、部分検出領域Ａｔｐの部分検出領域Ａｔｐｐへの分割個数と等しい回数繰り返す。これにより、タッチ検出の位置精度を向上させることができる。
【０１５２】
＜階調レベルの制御を伴う駆動方法＞
次に、本実施の形態１の表示装置１における階調レベルの制御を伴う駆動方法を説明する。
【０１５３】
図２０は、各画素の階調レベルを制御する場合における、複数の１フレーム期間にわたる階調および画素信号を示すタイミング波形図である。図２１は、各画素の階調を制御する場合における、互いに隣り合う４つの副画素における階調レベルを制御した例を模式的に示す図である。図２１の（ａ）は、ある画像を書き換える前の各副画素における階調レベルを示し、図２１の（ｂ）は、その画像を書き換える際に用いられるパルス列のパターンを示し、図２１の（ｃ）は、その画像を書き換えた後の各副画素における階調レベルを示す。図２２は、各画素の階調を制御する場合における、１フレーム期間に含まれる複数の表示動作期間および複数のタッチ検出動作期間における動作の一例を模式的に示す図である。
【０１５４】
複数の部分表示領域Ａｄｐの各々に、複数の画素電極２２のうちのいずれかが配置されている。このとき、走査駆動部５０に含まれるソースドライバ１３が、図２０に示すようにパルス列からなる電圧Ｖを有する画素信号Ｖｐｉｘを、各副画素ＳＰｉｘの内部に設けられた画素電極２２に供給することにより、各副画素ＳＰｉｘにおける階調を制御することができる。パルス列は、それぞれ正のパルス高さ（電圧＋Ｖｓ）または負のパルス高さ（電圧−Ｖｓ）を有する複数のパルスを含む。複数の画素電極２２のうち、表示領域Ａｄに含まれる複数の部分表示領域Ａｄｐの各々に配置された複数の画素電極２２に、複数のパルスのうち、ある順番のパルスを１回ずつ印加する間の期間は、１フレーム期間１Ｆに相当する。
【０１５５】
ここで、図２１に示すように、各副画素において設定可能な階調レベルが、レベルＷＷ、ＷＢ、ＢＷおよびＢＢのいずれかからなる例、すなわち階調レベルの総数が４つである例を例示し、このような場合において、画像を書き換える際に用いるパルス列のパターン数について説明する。レベルＷＷ、ＷＢ、ＢＷおよびＢＢは、白色に近いレベルＷＷと、黒色に近いレベルＢＢとの間で、白色から黒色に順次近づくように設定された４つの階調レベルである。図２０には、ある副画素における階調レベルＬｖが、レベルＷＷからレベルＷＢになるように、画像が書き換えられる例が例示されている。また、図２０に示すパルス列は、図２１を用いて後述するパターンｗｗＰｗｂに相当する。
【０１５６】
階調レベルの総数が４つである場合、図２１の（ａ）に示すように、画像を書き換える前のある副画素における階調レベルは、レベルＷＷ、ＷＢ、ＢＷおよびＢＢの４通りの階調レベルのいずれかになっている。そして、図２１の（ｃ）に示すように、画像を書き換えた後のその副画素における階調レベルは、レベルＷＷ、ＷＢ、ＢＷおよびＢＢの４通りの階調レベルのいずれかになる。
【０１５７】
初めに、画像を書き換える前のある副画素における階調レベルが、レベルＷＷである場合を考える。このような場合、図２１の（ｂ）に示すように、その副画素における階調レベルが、書き換えの前後で、レベルＷＷから変更されない場合には、パターンｗｗＰｗｗからなるパルス列が用いられる。あるいは、その副画素における階調レベルが、書き換えの前後で、レベルＷＷからレベルＷＢに変更される場合には、パターンｗｗＰｗｂからなるパルス列が用いられる。一方、その副画素における階調レベルが、書き換えの前後で、レベルＷＷからレベルＢＷに変更される場合には、パターンｗｗＰｂｗからなるパルス列が用いられる。あるいは、その副画素における階調レベルが、書き換えの前後で、レベルＷＷからレベルＢＢに変更される場合には、パターンｗｗＰｂｂからなるパルス列が用いられる。
【０１５８】
したがって、ある副画素における階調レベルが、書き換えの前後で、レベルＷＷから、レベルＷＷ、ＷＢ、ＢＷおよびＢＢの４通りの階調レベルのいずれかになるように、画像を書き換える場合には、パルス列のパターンとして、パターンｗｗＰｗｗ、ｗｗＰｗｂ、ｗｗＰｂｗおよびｗｗＰｂｂからなる４通りのパターンが用いられる。
【０１５９】
同様に、ある副画素における階調レベルが、レベルＷＢ、ＢＷまたはＢＢである場合でも、書き換えの前後で、その階調レベルから、レベルＷＷ、ＷＢ、ＢＷおよびＢＢの４通りの階調レベルのいずれかになるように、画像を書き換える場合には、パルス列のパターンとして、４通りのパターンが用いられる。したがって、階調レベルの総数が４つである場合には、画像を書き換える際に用いられるパルス列のパターン数は、４×４＝１６通りになる。このような場合、複数のパルスとして４つ以上例えば５つのパルスを組み合わせてパルス列を形成することにより、１６通りのパターンを設定することができる。
【０１６０】
このような場合には、図２２に示すように、表示駆動処理ＤＰと検出駆動処理ＴＰとを交互にｍ回ずつ繰り返しながら複数の部分表示領域Ａｄｐの各々で表示処理を１回ずつ行う繰り返し処理を、画素信号Ｖｐｉｘを変更しながら複数回繰り返すことにより、表示領域Ａｄで表示される画像を書き換える。これにより、各画素の階調を複数の階調に制御することができる。
【０１６１】
なお、電気泳動層５の種類によっては、階調が制御される程度は、温度依存性を有することがある。このとき、表示装置の使用温度に応じて、各画素の階調を複数の階調に制御するためのパルス列を変更することが望ましい。そのため、好適には、予め、表示装置を使用する温度範囲を複数の温度範囲に分割し、複数の温度範囲の各々の温度範囲において、各画素の階調を複数の階調に制御するために最適化されたパルス列を設定しておく。そして、例えば表示装置に備えられた温度測定部により温度を測定し、測定された温度を含む温度範囲に対応して設定されたパルス列を選択する。そして、選択されたパルス列を用いて各画素の階調を複数の階調に制御する。これにより、広範な温度範囲においても、使用温度の変動により、表示領域で表示される画素の階調が変動することを防止または抑制することができる。
【０１６２】
＜タッチ検出機能付き表示デバイスの第１変形例＞
次に、図２３および図２４を参照し、タッチ検出機能付き表示デバイスの第１変形例を説明する。本第１変形例では、駆動電極ＣＯＭＬ１と駆動電極ＣＯＭＬ２とが、互いに異なる層に設けられている。
【０１６３】
図２３は、実施の形態１の第１変形例のタッチ検出機能付き表示デバイスを示す断面図である。図２４は、実施の形態１の第１変形例における駆動電極および補助電極の構成を模式的に示す平面図である。また、図２３は、図２４のＡ−Ａ線に沿った断面図である。
【０１６４】
本第１変形例では、対向基板３は、基板３１と、複数の駆動電極ＣＯＭＬ１と、を有する。複数の駆動電極ＣＯＭＬ１は、平面視において、表示領域Ａｄまたはタッチ検出領域Ａｔで、基板３１の下面に設けられている。複数の駆動電極ＣＯＭＬ１については、図６および図８に示した例と同様にすることができる。
【０１６５】
一方、本第１変形例では、複数の駆動電極ＣＯＭＬ２の各々は、複数の駆動電極ＣＯＭＬ１と異なる層に設けられている。これにより、図６および図８に示した例に比べ、駆動電極ＣＯＭＬ２のうち接続部ＣＮ２を、電極部ＣＰ２と異なる層に形成する必要がなくなるので、駆動電極ＣＯＭＬ２を容易に形成することができる。
【０１６６】
あるいは、複数の駆動電極ＣＯＭＬ２は、基板３１の上面に設けられてもよく、基板６１の下面に設けられたバリアフィルム６４の下面に設けられてもよい。図２３に示す例では、複数の駆動電極ＣＯＭＬ２は、バリアフィルム６４の下面に設けられており、バリアフィルム６４の下面には、複数の駆動電極ＣＯＭＬ２を覆うように、保護膜ＰＦ１が設けられている。そして、バリアフィルム６４の下面に形成された保護膜ＰＦ１が、対向基板３の基板３１の上面と接触している。
【０１６７】
なお、複数の駆動電極ＣＯＭＬ１および複数の駆動電極ＣＯＭＬ２は、互いに異なる層に形成されていればよい。したがって、複数の駆動電極ＣＯＭＬ１および複数の駆動電極ＣＯＭＬ２のいずれも基板３１の下面に設けられてもよい。あるいは、複数の駆動電極ＣＯＭＬ１および複数の駆動電極ＣＯＭＬ２のいずれも基板３１の上面に設けられてもよい。
【０１６８】
複数の駆動電極ＣＯＭＬ２は、平面視において、Ｙ軸方向にそれぞれ延在し、かつ、Ｘ軸方向に配列されている。複数の駆動電極ＣＯＭＬ２の各々は、複数の電極部ＣＰ２と、複数の接続部ＣＮ２と、を含む。本第１変形例では、図６および図８に示した例と異なり、複数の電極部ＣＰ２の各々、および、複数の接続部ＣＮ２の各々は、表示領域Ａｄまたはタッチ検出領域Ａｔで、バリアフィルム６４の下面、すなわち基板３１の上面に設けられている。複数の電極部ＣＰ２は、平面視において、Ｙ軸方向に配列されている。また、Ｙ軸方向で隣り合う２つの電極部ＣＰ２は、接続部ＣＮ２により、電気的に接続されている。
【０１６９】
本第１変形例では、複数の駆動電極ＣＯＭＬ１と、複数の駆動電極ＣＯＭＬ２と、は互いに異なる層に設けられている。そのため、接続部ＣＮ２は、電極部ＣＰ２と同層に形成されている。
【０１７０】
前述したように、液晶表示デバイスにおける液晶層の厚さは、例えば３μｍ程度である。また、電気泳動表示デバイス２０における電気泳動層５の厚さ、すなわち駆動電極ＣＯＭＬ１の下面と画素電極２２の上面との距離ＤＳＴ１は、液晶表示デバイスにおける液晶層の厚さよりも大きく、例えば３０〜２００μｍ程度である。
【０１７１】
一方、例えば樹脂からなる基板３１の厚さは、例えば２０〜４０μｍである。そのため、複数の駆動電極ＣＯＭＬ１が基板３１の下面に設けられ、複数の駆動電極ＣＯＭＬ２が基板３１の上面に設けられた場合でも、画素電極２２の上面と駆動電極ＣＯＭＬ２の下面との距離は、画素電極２２の上面と駆動電極ＣＯＭＬ１の下面との距離とは、あまり異ならない。したがって、例えば複数の駆動電極ＣＯＭＬ２の各々に供給される表示駆動信号Ｖｃｏｍｄを、複数の駆動電極ＣＯＭＬ１の各々に供給される表示駆動信号Ｖｃｏｍｄよりも大きくするなどの調整により、複数の駆動電極ＣＯＭＬ１と複数の駆動電極ＣＯＭＬ２とが同層に形成された場合と同様の表示駆動処理を行うことができる。
【０１７２】
本第１変形例では、複数の駆動電極ＣＯＭＬ１は、電気泳動表示デバイスの駆動電極として動作し、かつ、タッチ検出デバイスの駆動電極ＤＲＶＬとして動作する。また、複数の駆動電極ＣＯＭＬ２は、電気泳動表示デバイスの駆動電極として動作し、かつ、タッチ検出デバイスの検出電極ＴＤＬとして動作する。
【０１７３】
本第１変形例でも、図６および図８に示した例と同様に、複数の補助電極ＡＥ１からなる補助電極群ＡＥＧが設けられていてもよい。また、タッチ検出動作を行う際に、駆動電極ＣＯＭＬ１からなる駆動電極ＤＲＶＬに供給されるタッチ検出駆動信号Ｖｃｏｍｔに含まれる交流信号と同位相の交流信号からなるタッチ検出駆動信号Ｖｃｏｍｔが、補助電極ＡＥ１に供給されてもよい。これにより、駆動電極ＤＲＶＬと、アレイ基板２に含まれる各配線との間に発生する寄生容量を除去することができ、タッチ検出の検出感度を増加させることができる。ただし、補助電極ＡＥ１が設けられていなくてもよい。
【０１７４】
それ以外の部分については、図６および図８に示した例と同様にすることができる。
【０１７５】
＜タッチ検出機能付き表示デバイスの第２変形例＞
次に、図２５および図２６を参照し、タッチ検出機能付き表示デバイスの第２変形例を説明する。本第２変形例では、補助電極ＡＥ１が駆動電極ＤＲＶＬとして設けられ、駆動電極ＣＯＭＬ１が検出電極ＴＤＬとして設けられている。すなわち、本第２変形例でも、図６および図８に示した例と同様に、複数の補助電極ＡＥ１からなる補助電極群ＡＥＧが設けられている。
【０１７６】
図２５は、実施の形態１の第２変形例のタッチ検出機能付き表示デバイスを示す断面図である。図２６は、実施の形態１の第２変形例における駆動電極および補助電極の構成を模式的に示す平面図である。また、図２５は、図２６のＡ−Ａ線に沿った断面図である。
【０１７７】
本第２変形例では、対向基板３は、基板３１と、複数の駆動電極ＣＯＭＬ１と、複数の駆動電極ＣＯＭＬ２と、を有する。
【０１７８】
図６および図８に示した例と同様に、複数の駆動電極ＣＯＭＬ１および複数の駆動電極ＣＯＭＬ２の各々は、例えばＩＴＯまたはＩＺＯなどの透明導電材料からなる。複数の駆動電極ＣＯＭＬ１および複数の駆動電極ＣＯＭＬ２は、平面視において、表示領域Ａｄまたはタッチ検出領域Ａｔで、基板３１の下面に設けられている。なお、複数の駆動電極ＣＯＭＬ１または複数の駆動電極ＣＯＭＬ２は、基板３１の上面に設けられてもよい。また、複数の駆動電極ＣＯＭＬ１と複数の駆動電極ＣＯＭＬ２とは、互いに異なる層に設けられてもよい。あるいは、複数の駆動電極ＣＯＭＬ２が設けられず、複数の駆動電極ＣＯＭＬ１のみが設けられてもよい。
【０１７９】
本第２変形例では、複数の駆動電極ＣＯＭＬ１は、平面視において、Ｙ軸方向にそれぞれ延在し、かつ、Ｘ軸方向に配列されている。また、複数の駆動電極ＣＯＭＬ２は、平面視において、Ｙ軸方向にそれぞれ延在し、かつ、Ｘ軸方向に配列されている。平面視において、複数の駆動電極ＣＯＭＬ１のうち１つまたは複数の駆動電極ＣＯＭＬ１と、複数の駆動電極ＣＯＭＬ２のうち１つまたは複数の駆動電極ＣＯＭＬ２とが、Ｘ軸方向に交互に配置されている。
【０１８０】
複数の駆動電極ＣＯＭＬ１の各々は、引き回し配線ＷＲ１をそれぞれ介して、走査駆動部５０に含まれる駆動電極ドライバ１４と電気的に接続されている。一方、複数の駆動電極ＣＯＭＬ２の各々は、引き回し配線ＷＲ１および切替部ＳＷに含まれる複数のスイッチＳＷ１の各々をそれぞれ介して、走査駆動部５０に含まれる駆動電極ドライバ１４と接続されている。複数のスイッチＳＷ１からなる切替部ＳＷは、複数の駆動電極ＣＯＭＬ２が駆動電極ドライバ１４と電気的に接続された状態と、複数の駆動電極ＣＯＭＬ２が電気的に浮遊した状態と、をそれぞれ切り替える。
【０１８１】
本第２変形例では、複数の駆動電極ＣＯＭＬ１は、電気泳動表示デバイスの駆動電極として動作し、かつ、タッチ検出デバイスの検出電極ＴＤＬとして動作する。一方、複数の駆動電極ＣＯＭＬ２は、表示動作を行う際に、スイッチＳＷ１により駆動電極ドライバ１４と接続されることにより、電気泳動表示デバイスの駆動電極として動作する。しかし、複数の駆動電極ＣＯＭＬ２は、タッチ検出動作を行う際には、スイッチＳＷ１により駆動電極ドライバ１４から遮断されることにより、タッチ検出デバイス３０の検出電極ＴＤＬとしては動作せず、ダミー電極ＴＤＤとなる。また、本第２変形例では、複数の補助電極ＡＥ１が、タッチ検出デバイスの駆動電極ＤＲＶＬとして動作する。
【０１８２】
すなわち、本第２変形例では、表示動作を行う際に、切替部ＳＷにより、複数の駆動電極ＣＯＭＬ２が駆動電極ドライバ１４と電気的に接続された状態に切り替えられているときに、駆動電極ドライバ１４は、複数の駆動電極ＣＯＭＬ１および複数の駆動電極ＣＯＭＬ２に表示駆動信号Ｖｃｏｍｄを供給する。そして、複数の画素電極２２の各々と、複数の駆動電極ＣＯＭＬ１および複数の駆動電極ＣＯＭＬ２の各々との間に電界が形成されることにより、画像が表示される。
【０１８３】
一方、本第２変形例では、タッチ検出動作を行う際に、切替部ＳＷにより、複数の駆動電極ＣＯＭＬ２が電気的に浮遊した状態に切り替えられているときに、駆動電極ドライバ１４は、複数の補助電極ＡＥ１にタッチ検出駆動信号Ｖｃｏｍｔを供給する。また、タッチ検出動作を行う際に、切替部ＳＷにより、複数の駆動電極ＣＯＭＬ２が電気的に浮遊した状態に切り替えられているときに、タッチ検出部４０（図１参照）は、複数の補助電極ＡＥ１の各々と複数の検出電極ＴＤＬの各々との間の静電容量に基づいて入力位置を検出する。
【０１８４】
電気泳動層５の厚さ、すなわち画素電極２２の上面と駆動電極ＣＯＭＬ１の下面との距離ＤＳＴ１が、液晶表示装置における液晶層の厚さと略等しく、例えば３μｍ程度の場合、補助電極ＡＥ１と駆動電極ＣＯＭＬ１との間の静電容量が、指によって形成される静電容量Ｃ２の変化に比べ、極めて大きくなる。そのため、補助電極ＡＥ１をタッチ検出デバイスの駆動電極ＤＲＶＬとし、駆動電極ＣＯＭＬ１をタッチ検出デバイスの検出電極ＴＤＬとして動作させることはできない。
【０１８５】
ところが、前述したように、電気泳動層を備える表示装置では、電気泳動層５の厚さ、すなわち駆動電極ＣＯＭＬ１の下面と画素電極２２の上面との距離ＤＳＴ１は、例えば３０〜２００μｍ程度であり、液晶表示デバイスに比べて極めて大きい。そのため、本第２変形例では、補助電極ＡＥ１と駆動電極ＣＯＭＬ１との間の静電容量は、指によって形成される静電容量Ｃ２の変化に比べてそれほど大きくない。したがって、補助電極ＡＥ１をタッチ検出デバイスの駆動電極ＤＲＶＬとし、駆動電極ＣＯＭＬ１をタッチ検出デバイスの検出電極ＴＤＬとして動作させることができる。
【０１８６】
また、タッチ検出動作を行う際に、平面視において、複数の検出電極ＴＤＬのうち１つまたは複数の検出電極ＴＤＬと、複数のダミー電極ＴＤＤのうち１つまたは複数のダミー電極ＴＤＤとが、Ｘ軸方向に交互に配置されている。これにより、タッチ検出動作を行う際に、検出電極ＴＤＬと、検出電極ＴＤＬよりも下方の配線等との間に発生する寄生容量を低減することができ、タッチ検出の検出感度を増加させることができる。また、検出電極ＴＤＬと駆動電極ＤＲＶＬとの間の電界の分布を容易に調整することができ、タッチ検出の検出感度を増加させることができる。
【０１８７】
それ以外の部分については、図６および図８に示した例と同様にすることができる。
【０１８８】
＜タッチ検出機能付き表示デバイスの第３変形例＞
次に、図２７および図２８を参照し、タッチ検出機能付き表示デバイスの第３変形例を説明する。本第３変形例では、駆動電極ＣＯＭＬ１の線幅が、実施の形態１の第２変形例における駆動電極ＣＯＭＬ１の線幅に比べて狭くなっている。
【０１８９】
図２７は、実施の形態１の第３変形例のタッチ検出機能付き表示デバイスを示す断面図である。図２８は、実施の形態１の第３変形例における駆動電極および補助電極の構成を模式的に示す平面図である。また、図２７は、図２８のＡ−Ａ線に沿った断面図である。
【０１９０】
本第３変形例では、対向基板３は、基板３１と、複数の駆動電極ＣＯＭＬ１と、を有する。複数の駆動電極ＣＯＭＬ１は、平面視において、表示領域Ａｄまたはタッチ検出領域Ａｔで、基板３１の下面に設けられている。なお、複数の駆動電極ＣＯＭＬ１は、基板３１の上面に設けられてもよい。
【０１９１】
本第３変形例では、複数の駆動電極ＣＯＭＬ１は、平面視において、Ｙ軸方向にそれぞれ延在し、かつ、Ｘ軸方向に配列されている。複数の駆動電極ＣＯＭＬ１の各々は、平面視において、複数の導電線により形成されたメッシュ形状を有していてもよい。図２８に示す例では、複数の駆動電極ＣＯＭＬ１の各々は、２つの導電線ＭＬ１と２つの導電線ＭＬ２とを有する。２つの導電線ＭＬ１および２つの導電線ＭＬ２の各々は、平面視において、交互に逆方向に屈曲しながら全体としてＹ軸方向に延在するジグザグ形状を有する。そして、Ｘ軸方向において隣り合う導電線ＭＬ１および導電線ＭＬ２の互いに逆方向に屈曲する部分同士が結合されている。あるいは、２つの導電線ＭＬ２が、設けられておらず、複数の駆動電極ＣＯＭＬ１の各々が、それぞれジグザグ形状を有する複数の導電線ＭＬ１のみを有していてもよい。
【０１９２】
あるいは、別の見方をすれば、複数の駆動電極ＣＯＭＬ１の各々は、複数の導電線ＭＬ３と、複数の導電線ＭＬ４と、を有する。複数の導電線ＭＬ３は、平面視において、Ｘ軸方向およびＹ軸方向のいずれとも異なる方向にそれぞれ延在し、かつ、間隔を空けて配列されている。複数の導電線ＭＬ４は、平面視において、Ｘ軸方向、Ｙ軸方向および導電線ＭＬ３の延在する方向のいずれとも異なる方向にそれぞれ延在し、かつ、間隔を空けて配列されている。複数の導電線ＭＬ３と複数の導電線ＭＬ４とは、互いに交差する。そして、複数の駆動電極ＣＯＭＬ１の各々は、互いに交差した複数の導電線ＭＬ３と複数の導電線ＭＬ４とにより形成されたメッシュ形状を有する。
【０１９３】
本第３変形例における複数の駆動電極ＣＯＭＬ１の各々に含まれる導電線ＭＬ１および導電線ＭＬ２、または、導電線ＭＬ３および導電線ＭＬ４は、図６および図８に示した例とは異なり、金属層または合金層を含む。そのため、本第３変形例における複数の駆動電極ＣＯＭＬ１の各々の比抵抗を、実施の形態１の第２変形例における複数の駆動電極ＣＯＭＬ１の各々の比抵抗よりも小さくすることができる。よって、本第３変形例における複数の駆動電極ＣＯＭＬ１の各々に含まれる導電線ＭＬ３が延在する方向に交差する方向における導電線ＭＬ３の線幅を、導電線ＭＬ３が延在する方向に交差する方向で隣り合う２つの導電線ＭＬ３の対向する側面同士の幅よりも狭くすることができる。言い換えれば、タッチ検出領域Ａｔにおける駆動電極ＣＯＭＬ１の面積率を、５０％未満にすることができる。
【０１９４】
前述したように、電気泳動層５の厚さ、すなわち駆動電極ＣＯＭＬ１の下面と画素電極２２の上面との距離ＤＳＴ１は、例えば３０〜２００μｍ程度であり、液晶表示デバイスに比べて極めて大きい。そのため、駆動電極ＣＯＭＬ１の線幅が狭くなった場合でも、図２７に示すように、画素電極２２のＸ軸方向における周辺部と画素電極２２との距離ＤＳＴ２は、画素電極２２のＸ軸方向（図２８参照）における中央部と画素電極２２との距離ＤＳＴ１と、略等しい。したがって、駆動電極ＣＯＭＬ１の線幅が狭くなった場合でも、表示動作を行う際に、駆動電極ＣＯＭＬ１を電気泳動表示デバイスの駆動電極として動作させることができる。
【０１９５】
本第３変形例では、複数の駆動電極ＣＯＭＬ１は、電気泳動表示デバイスの駆動電極として動作し、かつ、タッチ検出デバイスの検出電極ＴＤＬとして動作する。また、本第３変形例でも、実施の形態１の第２変形例と同様に、複数の補助電極ＡＥ１が、タッチ検出デバイスの駆動電極ＤＲＶＬとして動作する。
【０１９６】
実施の形態１の第２変形例では、複数のダミー電極ＴＤＤの各々は、平面視において、Ｘ軸方向で隣り合う２つの検出電極ＴＤＬの間に位置する部分の各補助電極ＡＥ１の上方に、配置されている。このとき、複数のダミー電極ＴＤＤの各々は、平面視において、Ｙ軸方向に配列された複数の駆動電極ＤＲＶＬを跨ぐように、配置されている。そのため、駆動電極ＤＲＶＬにタッチ検出駆動信号Ｖｃｏｍｔが供給されて発生する電界が、検出電極ＴＤＬよりも上方に回り込みにくい。
【０１９７】
一方、本第３変形例では、ダミー電極は設けられておらず、複数の駆動電極ＣＯＭＬ１の各々の線幅は、実施の形態１の第２変形例における駆動電極ＣＯＭＬ１の各々の線幅よりも狭い。これにより、補助電極ＡＥ１からなる駆動電極ＤＲＶＬにタッチ検出駆動信号Ｖｃｏｍｔが供給されて発生する電界ＥＦ１が、駆動電極ＣＯＭＬ１からなる検出電極ＴＤＬよりも上方に回り込みやすくなり、実施の形態１の第２変形例に比べ、タッチ検出の検出感度を増加させることができる。
【０１９８】
前述したように、好適には、複数の駆動電極ＣＯＭＬ１の各々に含まれる導電線ＭＬ３が延在する方向に交差する方向における導電線ＭＬ３の線幅を、導電線ＭＬ３が延在する方向に交差する方向で隣り合う２つの導電線ＭＬ３の対向する側面同士の幅よりも狭くすることができる。これにより、補助電極ＡＥ１からなる駆動電極ＤＲＶＬにタッチ検出駆動信号Ｖｃｏｍｔが供給されて発生する電界ＥＦ１が、駆動電極ＣＯＭＬ１からなる検出電極ＴＤＬよりもさらに上方に回り込みやすくなり、実施の形態１の第２変形例に比べ、タッチ検出の検出感度をさらに増加させることができる。
【０１９９】
それ以外の部分については、図６および図８に示した例と同様にすることができる。
【０２００】
（実施の形態２）
実施の形態１では、電気泳動表示デバイスが備えられた表示装置が、駆動電極と検出電極とが設けられた、相互容量方式の入力装置としてのタッチ検出デバイスを有する例について説明した。それに対して、実施の形態２では、電気泳動表示デバイスが備えられた表示装置が、検出電極のみが設けられた、自己容量方式のタッチ検出デバイスを有する例について説明する。なお、実施の形態２の表示装置も、実施の形態１の表示装置と同様に、入力装置としてのタッチパネルを備えた表示装置を、インセルタイプのタッチ検出機能付き表示装置に適用したものである。
【０２０１】
＜全体構成＞
初めに、図２９を参照し、実施の形態２の表示装置の全体構成について説明する。図２９は、実施の形態２の表示装置の一構成例を示すブロック図である。
【０２０２】
本実施の形態２の表示装置１ａは、タッチ検出機能付き表示デバイス１０ａと、制御部１１と、ゲートドライバ１２と、ソースドライバ１３と、駆動電極ドライバ１４と、タッチ検出部４０ａと、を備えている。本実施の形態２では、実施の形態１と異なり、ソースドライバ１３および駆動電極ドライバ１４に加え、タッチ駆動および検出信号増幅部４２ａにより、走査駆動部５０が形成されている。
【０２０３】
タッチ検出機能付き表示デバイス１０ａは、表示デバイス２０と、タッチ検出デバイス３０ａとを有する。本実施の形態２の表示装置１ａのうち、タッチ検出機能付き表示デバイス１０ａのタッチ検出デバイス３０ａおよびタッチ検出部４０ａ以外の各部分については、実施の形態１の表示装置のうち、対向基板３以外の各部分と同様であるため、それらの説明を省略する。
【０２０４】
なお、走査駆動部５０に含まれる駆動電極ドライバ１４は、表示動作を行う際に、制御部１１から供給される制御信号に基づいて、タッチ検出機能付き表示デバイス１０ａに含まれる駆動電極ＣＯＭＬ１および駆動電極ＣＯＭＬ２（後述する図３２または図３３参照）に、表示駆動信号Ｖｃｏｍｄを供給する回路である。また、駆動電極ドライバ１４は、タッチ検出動作を行う際に、タッチ検出機能付き表示デバイス１０ａに含まれる補助電極ＡＥ１（後述する図３２または図３３参照）に、図１５の（ｃ）に示すように、タッチ検出駆動信号Ｖｃｏｍｔに含まれる交流信号と同相の交流信号からなるアクティブシールド駆動信号Ｖａｓを供給するようにしてもよい。
【０２０５】
本実施の形態２では、タッチ検出部４０ａは、制御部１１から供給される制御信号に基づいて、タッチ検出デバイス３０ａにタッチ検出駆動信号Ｖｔｄを供給する。そして、タッチ検出部４０ａは、制御部１１から供給される制御信号と、タッチ検出機能付き表示デバイス１０ａのタッチ検出デバイス３０ａから供給された検出信号Ｖｄｅｔに基づいて、タッチ検出デバイス３０ａに対する指やタッチペンなどの入力具のタッチ、すなわち後述する接触または近接の状態、の有無を検出する。
【０２０６】
本実施の形態２では、タッチ検出部４０ａは、タッチ駆動および検出信号増幅部４２ａと、Ａ／Ｄ変換部４３と、信号処理部４４と、座標抽出部４５と、検出タイミング制御部４６と、を備えている。本実施の形態２のタッチ検出部４０ａのうち、Ａ／Ｄ変換部４３、信号処理部４４および座標抽出部４５については、実施の形態１のタッチ検出部４０における各部分と同様である。
【０２０７】
前述したように、タッチ駆動および検出信号増幅部４２ａは、制御部１１から供給される制御信号に基づいて、タッチ検出デバイス３０ａにタッチ検出駆動信号Ｖｔｄを供給する。そして、タッチ駆動および検出信号増幅部４２ａは、タッチ検出デバイス３０ａから供給される検出信号Ｖｄｅｔを増幅する。
【０２０８】
＜自己容量型タッチ検出の原理＞
次に、図３０および図３１を参照し、自己容量方式のタッチ検出デバイスにおけるタッチ検出の原理について説明する。図３０および図３１は、自己容量方式における検出電極の電気的な接続状態を表す説明図である。
【０２０９】
自己容量方式におけるタッチ検出デバイスでは、まず、タッチ駆動および検出信号増幅部４２ａがタッチ検出駆動信号Ｖｔｄをタッチ検出デバイス３０ａに供給する（図２９参照）。このとき、図３０に示すような静電容量Ｃｘを有する検出電極ＴＤＬが、静電容量Ｃｒ１を有する検出回路ＳＣ１から切り離され、電源Ｖｄｄと電気的に接続され、静電容量Ｃｘを有する検出電極ＴＤＬに電荷量Ｑ１が蓄積される。
【０２１０】
次に、図３１に示すように、静電容量Ｃｘを有する検出電極ＴＤＬが電源Ｖｄｄから切り離され、静電容量Ｃｒ１を有する検出回路ＳＣ１と電気的に接続された時に、検出回路ＳＣ１に流れ出る電荷量Ｑ２を検出する。これにより、タッチ駆動および検出信号増幅部４２ａに、タッチ検出デバイス３０ａから、検出信号Ｖｄｅｔが供給される（図２９参照）。
【０２１１】
ここで、検出電極ＴＤＬに指が接触または近接した場合、指による容量により、検出電極ＴＤＬの静電容量Ｃｘが変化し、検出電極ＴＤＬが検出回路ＳＣ１と接続された時に、検出回路ＳＣ１に流れ出る電荷量Ｑ２も変化する。したがって、流れ出る電荷量Ｑ２を検出回路ＳＣ１により測定して検出電極ＴＤＬの静電容量Ｃｘの変化を検出することにより、検出電極ＴＤＬに指が接触または近接したか否かを判定することができる。
【０２１２】
＜モジュール＞
本実施の形態２の表示装置におけるモジュールについては、実施の形態１の表示装置のモジュールと略同様であるため、それらの説明を省略する。
【０２１３】
＜タッチ検出機能付き表示デバイス＞
次に、図３２および図３３を参照し、タッチ検出機能付き表示デバイスを説明する。
【０２１４】
図３２は、実施の形態２の表示装置のタッチ検出機能付き表示デバイスの構成の一例を示す断面図である。図３３は、実施の形態２の表示装置における駆動電極および補助電極の構成の一例を模式的に示す平面図である。また、図３２は、図３３のＡ−Ａ線に沿った断面図である。
【０２１５】
タッチ検出機能付き表示デバイス１０ａは、アレイ基板２と、対向基板３と、電気泳動層５と、保護基板６と、封止部７と、を有する。対向基板３は、アレイ基板２の主面としての上面と、対向基板３の主面としての下面とが対向するように、対向配置されている。電気泳動層５は、アレイ基板２と対向基板３との間に設けられている。すなわち、電気泳動層５は、基板２１の上面と基板３１の下面との間に挟まれている。
【０２１６】
アレイ基板２が基板２１を有し、対向基板３が基板３１を有すること、および、基板２１の上面は、上面の一部の領域である表示領域Ａｄを含み、基板３１の上面は、上面の一部の領域であるタッチ検出領域Ａｔを含むことは、実施の形態１と同様である。
【０２１７】
図３２に示すように、アレイ基板２は、基板２１と、絶縁膜２３と、複数の画素電極２２と、を有する。実施の形態１で図７および図９を用いて説明したのと同様に、表示領域Ａｄで、基板２１には、複数の走査線ＧＣＬ、複数の信号線ＳＧＬ、および、複数のＴＦＴ素子Ｔｒが設けられている。また、本実施の形態２における基板２１、絶縁膜２３および複数の画素電極２２については、実施の形態１における各部分と同様にすることができる。
【０２１８】
図３２および図３３に示すように、基板２１の上面には、補助電極ＡＥ１が設けられている。補助電極ＡＥ１は、平面視において、表示領域Ａｄまたはタッチ検出領域Ａｔで、基板２１の上面に、走査線ＧＣＬおよびゲート電極２３ａ（図７参照）と同層に設けられている。
【０２１９】
好適には、タッチ検出動作を行う際に、補助電極ＡＥ１は、駆動電極ドライバ１４（図２９参照）と電気的に接続される。また、駆動電極ドライバ１４は、タッチ検出動作を行う際に、駆動電極ＣＯＭＬ１からなる検出電極ＴＤＬにタッチ駆動および検出信号増幅部４２ａにより供給されるタッチ検出駆動信号Ｖｔｄに含まれる交流信号と同相の交流信号からなるアクティブシールド駆動信号Ｖａｓを、補助電極ＡＥ１に供給する。これにより、駆動電極ＣＯＭＬ１からなる検出電極ＴＤＬと、アレイ基板２に形成された各配線との間に発生する寄生容量を除去することができ、タッチ検出の感度を向上させることができる。
【０２２０】
なお、複数の駆動電極ＣＯＭＬ１は、補助電極ＡＥ１と、封止部７の内部に設けられた導通部７１を介して電気的に接続されていてもよい。
【０２２１】
図３２および図３３に示すように、対向基板３は、基板３１と、複数の駆動電極ＣＯＭＬ１と、複数の駆動電極ＣＯＭＬ２と、を有する。本実施の形態２における基板３１、複数の駆動電極ＣＯＭＬ１および複数の駆動電極ＣＯＭＬ２については、実施の形態１における各部分と同様にすることができる。すなわち、複数の駆動電極ＣＯＭＬ１および複数の検出電極ＣＯＭＬ２は、平面視において、表示領域Ａｄまたはタッチ検出領域Ａｔで、基板３１の下面に設けられている。なお、複数の駆動電極ＣＯＭＬ１または複数の駆動電極ＣＯＭＬ２は、基板３１の上面に設けられてもよい。
【０２２２】
複数の駆動電極ＣＯＭＬ１は、平面視において、Ｘ軸方向にそれぞれ延在し、かつ、Ｙ軸方向に配列されている。複数の駆動電極ＣＯＭＬ１の各々は、複数の電極部ＣＰ１と、複数の接続部ＣＮ１と、を含む。複数の電極部ＣＰ１の各々、および、複数の接続部ＣＮ１の各々は、表示領域Ａｄまたはタッチ検出領域Ａｔで、基板３１の下面に設けられている。複数の電極部ＣＰ１は、平面視において、Ｘ軸方向に配列されている。また、Ｘ軸方向で隣り合う２つの電極部ＣＰ１は、接続部ＣＮ１により、電気的に接続されている。
【０２２３】
複数の駆動電極ＣＯＭＬ２は、平面視において、Ｙ軸方向にそれぞれ延在し、かつ、Ｘ軸方向に配列されている。複数の駆動電極ＣＯＭＬ２の各々は、複数の電極部ＣＰ２と、複数の接続部ＣＮ２と、を含む。複数の電極部ＣＰ２の各々は、表示領域Ａｄまたはタッチ検出領域Ａｔで、基板３１の下面に設けられている。複数の電極部ＣＰ２は、平面視において、Ｙ軸方向に配列されている。また、Ｙ軸方向で隣り合う２つの電極部ＣＰ２は、接続部ＣＮ２により、電気的に接続されている。
【０２２４】
図３２および図３３に示す例では、複数の駆動電極ＣＯＭＬ１と、複数の駆動電極ＣＯＭＬ２と、が同層に設けられている。そのため、接続部ＣＮ２は、電極部ＣＰ２と異なる層に設けられており、図示しない絶縁膜を介して、接続部ＣＮ１の各々をそれぞれ跨ぐように設けられている。
【０２２５】
また、本実施の形態２における電気泳動層５、保護基板６および封止部７については、実施の形態１における各部分と同様にすることができる。
【０２２６】
本実施の形態２でも、実施の形態１で図５〜図９を用いて説明したのと同様に、電気泳動表示デバイス２０は、複数の走査線ＧＣＬと、複数の信号線ＳＧＬと、複数のＴＦＴ素子Ｔｒと、複数の画素電極２２と、複数の駆動電極ＣＯＭＬ１と、複数の駆動電極ＣＯＭＬ２と、複数の電気泳動素子ＥＰと、を有する。
【０２２７】
また、選択された部分表示領域Ａｄｐ（図１３参照）に配置された１つまたは複数の駆動電極ＣＯＭＬ１に、駆動電極ドライバ１４により表示駆動信号Ｖｃｏｍｄ（図２９参照）が供給され、選択された１水平ラインに属する副画素ＳＰｉｘの各々に含まれる画素電極２２に対して、ソースドライバ１３により画素信号Ｖｐｉｘ（図２９参照）が供給される。このようにして、選択された部分表示領域Ａｄｐで、複数の画素電極２２の各々と複数の駆動電極ＣＯＭＬ１の各々との間に電界が形成されることにより、選択された部分表示領域Ａｄｐで、１水平ラインずつ画像の表示が行われる。
【０２２８】
一方、本実施の形態２のタッチ検出デバイス３０ａ（図２９参照）は、自己容量方式のタッチ検出デバイスである。そのため、図３２および図３３に示す例では、実施の形態１とは異なり、複数の駆動電極ＣＯＭＬ１は、電気泳動表示デバイスの駆動電極として動作し、かつ、タッチ検出デバイスの検出電極ＴＤＬとして動作する。また、複数の駆動電極ＣＯＭＬ２は、電気泳動表示デバイスの駆動電極として動作し、かつ、タッチ検出デバイスの検出電極ＴＤＬとして動作する。すなわち、本実施の形態２では、タッチ検出動作を行う際に、複数の駆動電極ＣＯＭＬ１および複数の駆動電極ＣＯＭＬ２は、いずれも駆動電極ＤＲＶＬ（図６および図８参照）としてではなく、検出電極ＴＤＬとして動作する。
【０２２９】
本実施の形態２では、図３０および図３１を用いて前述したように、タッチ駆動および検出信号増幅部４２ａがタッチ検出駆動信号Ｖｔｄをタッチ検出デバイス３０ａに供給することにより、検出電極ＴＤＬに電荷量が蓄積される。次に、検出電極ＴＤＬが電源から切り離され、検出回路と電気的に接続された時に、検出回路に流れ出る電荷量として、タッチ検出デバイス３０ａから、タッチ駆動および検出信号増幅部４２ａに、検出信号Ｖｄｅｔが供給される。そして、タッチ検出部４０ａは、複数の検出電極ＴＤＬの各々の静電容量に基づいて、入力位置を検出する。
【０２３０】
図３２および図３３に示す例では、補助電極ＡＥ１が設けられていてもよく、タッチ検出動作を行う際に、駆動電極ＣＯＭＬ１からなる検出電極ＴＤＬに供給されるタッチ検出駆動信号Ｖｔｄに含まれる交流信号と同位相の交流信号からなるアクティブシールド駆動信号Ｖａｓが、補助電極ＡＥ１に供給されてもよい。すなわち、走査駆動部５０（図２９参照）が、複数の検出電極ＴＤＬにタッチ検出駆動信号Ｖｔｄを供給し、かつ、補助電極ＡＥ１にアクティブシールド駆動信号Ｖａｓを供給する際に、タッチ検出部４０ａが、複数の検出電極ＴＤＬの各々の静電容量に基づいて入力位置を検出してもよい。これにより、検出電極ＴＤＬと、アレイ基板２に含まれる各配線との間に発生する寄生容量を除去することができ、タッチ検出の検出感度を増加させることができる。ただし、補助電極ＡＥ１が設けられていなくてもよい。
【０２３１】
なお、図３７を用いて後述するように、平面視において、互いに交差する複数の駆動電極ＣＯＭＬ１および複数の駆動電極ＣＯＭＬ２に代え、Ｘ軸方向およびＹ軸方向にマトリクス状に配置された複数の駆動電極ＣＯＭＬ１のみが設けられてもよい。そして、それぞれ駆動電極ＣＯＭＬ１からなる複数の検出電極ＴＤＬのいずれもが、個別に設けられた引き回し配線を介してタッチ駆動および検出信号増幅部４２ａと接続されてもよい。タッチ検出デバイス３０ａが、自己容量方式のタッチ検出デバイスである場合には、このような接続方法により、複数の検出電極ＴＤＬのいずれをも個別にタッチ駆動および検出信号増幅部４２ａと接続することができる。これにより、入力位置を位置精度よく検出することができる。
【０２３２】
具体的には、複数の接続部ＣＮ１および複数の接続部ＣＮ２を設けず、後述する図３６および図３７を用いて説明する接続方法と同様の接続方法により、複数の電極部ＣＰ１および複数の電極部ＣＰ２のいずれをも、個別にタッチ駆動および検出信号増幅部４２ａと接続することができる。
【０２３３】
＜駆動方法＞
本実施の形態２の表示装置１ａの駆動方法については、実施の形態１の表示装置１の駆動方法と同様にすることができ、実施の形態１の表示装置１の駆動方法と同様の効果を有する。
【０２３４】
＜階調レベルの制御を伴う駆動方法＞
本実施の形態２の表示装置１ａにおける階調レベルの制御を伴う駆動方法については、実施の形態１の表示装置１における階調レベルの制御を伴う駆動方法と同様にすることができ、実施の形態１の表示装置１における階調レベルの制御を伴う駆動方法と同様の効果を有する。
【０２３５】
＜タッチ検出機能付き表示デバイスの第１変形例＞
次に、図３４および図３５を参照し、タッチ検出機能付き表示デバイスの第１変形例を説明する。本第１変形例では、駆動電極ＣＯＭＬ１と駆動電極ＣＯＭＬ２とが、互いに異なる層に設けられている。
【０２３６】
図３４は、実施の形態２の第１変形例のタッチ検出機能付き表示デバイスを示す断面図である。図３５は、実施の形態２の第１変形例における駆動電極および補助電極の構成を模式的に示す平面図である。また、図３４は、図３５のＡ−Ａ線に沿った断面図である。
【０２３７】
本第１変形例では、対向基板３は、基板３１と、複数の駆動電極ＣＯＭＬ１と、を有する。複数の駆動電極ＣＯＭＬ１は、平面視において、表示領域Ａｄまたはタッチ検出領域Ａｔで、基板３１の下面に設けられている。複数の駆動電極ＣＯＭＬ１については、図３２および図３３に示した例と同様にすることができる。
【０２３８】
一方、本第１変形例では、複数の駆動電極ＣＯＭＬ２の各々は、複数の駆動電極ＣＯＭＬ１と異なる層に設けられている。これにより、図３２または図３３に示した例に比べ、駆動電極ＣＯＭＬ２のうち接続部ＣＮ２を、電極部ＣＰ２と異なる層に形成する必要がなくなるので、駆動電極ＣＯＭＬ２を容易に形成することができる。
【０２３９】
あるいは、複数の駆動電極ＣＯＭＬ２は、基板３１の上面に設けられてもよく、基板６１の下面に設けられたバリアフィルム６４の下面に設けられてもよい。図３４に示す例では、複数の駆動電極ＣＯＭＬ２は、バリアフィルム６４の下面に設けられており、バリアフィルム６４の下面には、複数の駆動電極ＣＯＭＬ２を覆うように、保護膜ＰＦ１が設けられている。そして、バリアフィルム６４の下面に形成された保護膜ＰＦ１が、対向基板３の基板３１の上面と接触している。
【０２４０】
なお、複数の駆動電極ＣＯＭＬ１および複数の駆動電極ＣＯＭＬ２は、互いに異なる層に形成されていればよい。したがって、複数の駆動電極ＣＯＭＬ１および複数の駆動電極ＣＯＭＬ２のいずれも基板３１の下面に設けられてもよい。あるいは、複数の駆動電極ＣＯＭＬ１および複数の駆動電極ＣＯＭＬ２のいずれも基板３１の上面に設けられてもよい。
【０２４１】
複数の駆動電極ＣＯＭＬ２は、平面視において、Ｙ軸方向にそれぞれ延在し、かつ、Ｘ軸方向に配列されている。複数の駆動電極ＣＯＭＬ２の各々は、複数の電極部ＣＰ２と、複数の接続部ＣＮ２と、を含む。本第１変形例では、図３２および図３３に示した例と異なり、複数の電極部ＣＰ２の各々、および、複数の接続部ＣＮ２の各々は、表示領域Ａｄまたはタッチ検出領域Ａｔで、バリアフィルム６４の下面、すなわち基板３１の上面に設けられている。複数の電極部ＣＰ２は、平面視において、Ｙ軸方向に配列されている。また、Ｙ軸方向で隣り合う２つの電極部ＣＰ２は、接続部ＣＮ２により、電気的に接続されている。
【０２４２】
本第１変形例では、複数の駆動電極ＣＯＭＬ１と、複数の駆動電極ＣＯＭＬ２と、は互いに異なる層に設けられている。そのため、接続部ＣＮ２は、電極部ＣＰ２と同層に形成されている。
【０２４３】
本第１変形例でも、実施の形態１の第１変形例と同様に、画素電極２２の上面と駆動電極ＣＯＭＬ２の下面との距離は、画素電極２２の上面と駆動電極ＣＯＭＬ１の下面との距離とは、あまり異ならない。したがって、例えば複数の駆動電極ＣＯＭＬ２の各々に供給される表示駆動信号Ｖｃｏｍｄを、複数の駆動電極ＣＯＭＬ１の各々に供給される表示駆動信号Ｖｃｏｍｄよりも大きくするなどの調整により、複数の駆動電極ＣＯＭＬ１と複数の駆動電極ＣＯＭＬ２とが同層に形成された場合と同様の表示駆動処理を行うことができる。
【０２４４】
一方、本第１変形例では、複数の駆動電極ＣＯＭＬ１および複数の駆動電極ＣＯＭＬ２を挟んで基板２１と反対側に、補助電極ＡＥ２が設けられている。タッチ検出動作を行う際に、走査駆動部５０（図２９参照）は、駆動電極ＣＯＭＬ１からなる検出電極ＴＤＬに供給されるタッチ検出駆動信号Ｖｔｄに含まれる交流信号と同位相の交流信号からなるアクティブシールド駆動信号Ｖａｓを、補助電極ＡＥ２に供給する。これにより、検出電極ＴＤＬと、検出電極ＴＤＬの周辺の各部分との間に発生する寄生容量を除去することができ、タッチ検出の検出感度をより確実に増加させることができる。
【０２４５】
好適には、補助電極ＡＥ２は、平面視において、複数の駆動電極ＣＯＭＬ１のうちＹ軸方向で隣り合う２つの駆動電極ＣＯＭＬ１の間、かつ、複数の駆動電極ＣＯＭＬ２のうちＸ軸方向で隣り合う２つの駆動電極ＣＯＭＬ２の間に位置する部分の基板３１と重なるように、配置されている。
【０２４６】
具体的には、補助電極ＡＥ２は、平面視において、間隔を空けて配列された複数の導電線ＭＬ５と、平面視において、間隔を空けて配列され、かつ、複数の導電線ＭＬ５とそれぞれ交差する複数の導電線ＭＬ６と、を含む。そして、補助電極ＡＥ２は、複数の導電線ＭＬ５と複数の導電線ＭＬ６とにより区画され、平面視において、四角形状を有する複数の開口部ＯＰ１を含む。このとき、Ｘ軸方向は、複数の開口部ＯＰ１の各々の一方の対角方向であり、Ｙ軸方向は、複数の開口部ＯＰ１の各々の対角方向であって、Ｘ軸方向と異なる対角方向である。
【０２４７】
本第１変形例では、駆動電極ＣＯＭＬ１は、電気泳動表示デバイスの駆動電極として動作し、かつ、タッチ検出デバイスの検出電極ＴＤＬとして動作する。また、駆動電極ＣＯＭＬ２は、電気泳動表示デバイスの駆動電極として動作し、かつ、タッチ検出デバイスの検出電極ＴＤＬとして動作する。
【０２４８】
なお、図３４に示すように、補助電極ＡＥ２を、例えばカラーフィルタ層６２と同層に設けることができる。これにより、表示装置の厚さを薄くすることができる。
【０２４９】
本第１変形例でも、図３２および図３３に示した例と同様に、補助電極ＡＥ１が設けられていてもよい。また、タッチ検出動作を行う際に、駆動電極ＣＯＭＬ１からなる検出電極ＴＤＬに供給されるタッチ検出駆動信号Ｖｔｄ（図２９参照）に含まれる交流信号と同位相の交流信号からなるアクティブシールド駆動信号Ｖａｓ（図２９参照）が、補助電極ＡＥ１に供給されてもよい。これにより、検出電極ＴＤＬと、アレイ基板２に含まれる各配線との間に発生する寄生容量を除去することができ、タッチ検出の検出感度を増加させることができる。ただし、補助電極ＡＥ１が設けられていなくてもよい。
【０２５０】
また、本第１変形例では、図３４および図３５に示すように、平面視において、駆動電極ＣＯＭＬ１と駆動電極ＣＯＭＬ２との間に配置された部分の基板３１上に、補助電極ＡＥ２が設けられている。また、タッチ検出動作を行う際に、駆動電極ＣＯＭＬ１からなる検出電極ＴＤＬに供給されるタッチ検出駆動信号Ｖｔｄに含まれる交流信号と同位相の交流信号からなるアクティブシールド駆動信号Ｖａｓが、補助電極ＡＥ２に供給される。すなわち、走査駆動部５０（図２９参照）が、複数の検出電極ＴＤＬにタッチ検出駆動信号Ｖｔｄを供給し、かつ、補助電極ＡＥ２にアクティブシールド駆動信号Ｖａｓを供給する際に、タッチ検出部４０ａ（図２９参照）が、複数の検出電極ＴＤＬの各々の静電容量に基づいて入力位置を検出する。これにより、補助電極ＡＥ２が設けられない場合に比べ、検出電極ＴＤＬと、検出電極ＴＤＬの周辺の各部分であって上側の部分との間に発生する寄生容量を除去することができ、タッチ検出の検出感度をより増加させることができる。
【０２５１】
それ以外の部分については、図３２および図３３に示した例と同様にすることができる。
【０２５２】
なお、複数の接続部ＣＮ１および複数の接続部ＣＮ２を設けず、後述する図３６および図３７を用いて説明する接続方法と同様の接続方法により、複数の電極部ＣＰ１および複数の電極部ＣＰ２のいずれをも、個別にタッチ駆動および検出信号増幅部４２ａと接続することもできる。これにより、入力位置を位置精度よく検出することができる。
【０２５３】
＜タッチ検出機能付き表示デバイスの第２変形例＞
次に、図３６および図３７を参照し、タッチ検出機能付き表示デバイスの第２変形例を説明する。本第２変形例では、複数の駆動電極ＣＯＭＬ１がマトリクス状に配置されている。
【０２５４】
図３６は、実施の形態２の第２変形例のタッチ検出機能付き表示デバイスを示す断面図である。図３７は、実施の形態２の第２変形例における駆動電極および補助電極の構成を模式的に示す平面図である。また、図３６は、図３７のＡ−Ａ線に沿った断面図である。
【０２５５】
本第２変形例では、対向基板３は、基板３１と、複数の駆動電極ＣＯＭＬ１と、を有する。複数の駆動電極ＣＯＭＬ１は、平面視において、表示領域Ａｄまたはタッチ検出領域Ａｔで、基板３１の下面に設けられている。なお、複数の駆動電極ＣＯＭＬ１は、基板３１の上面に設けられてもよい。
【０２５６】
本第２変形例では、複数の駆動電極ＣＯＭＬ１は、平面視において、Ｘ軸方向およびＹ軸方向にマトリクス状に配置されている。また、複数の引き回し配線ＷＲ１は、複数の駆動電極ＣＯＭＬ１の各々とそれぞれ電気的に接続されている。そのため、複数の駆動電極ＣＯＭＬ１の各々の駆動電極ＣＯＭＬ１は、その駆動電極ＣＯＭＬ１に対応して設けられた引き回し配線ＷＲ１を介して、駆動電極ドライバ１４（図５参照）と電気的に接続されている。このような接続方法により、複数の検出電極ＴＤＬのいずれをも、個別にタッチ駆動および検出信号増幅部４２ａと接続することができるので、入力位置を位置精度よく検出することができる。
【０２５７】
また、本第２変形例では、複数の駆動電極ＣＯＭＬ１を挟んで基板２１と反対側に、補助電極ＡＥ２が設けられている。タッチ検出動作期間において、タッチ検出部４０ａは、駆動電極ＣＯＭＬ１からなる検出電極ＴＤＬに供給されるタッチ検出駆動信号Ｖｔｄに含まれる交流信号と同位相の交流信号からなるアクティブシールド駆動信号Ｖａｓを、補助電極ＡＥ２に供給する。これにより、検出電極ＴＤＬと、検出電極ＴＤＬの周辺の各部分との間に発生する寄生容量を除去することができ、タッチ検出の検出感度をより確実に増加させることができる。
【０２５８】
好適には、補助電極ＡＥ２は、平面視において、複数の駆動電極ＣＯＭＬ１のうち隣り合う２つの駆動電極ＣＯＭＬ１の間に位置する部分の基板３１と重なるように、配置されている。
【０２５９】
具体的には、補助電極ＡＥ２は、平面視において、Ｘ軸方向にそれぞれ延在し、かつ、Ｙ軸方向に間隔を空けて配列された複数の導電線ＭＬ７と、平面視において、Ｙ軸方向にそれぞれ延在し、かつ、Ｘ軸方向に間隔を空けて配列された複数の導電線ＭＬ８と、を含む。複数の導電線ＭＬ７の各々は、複数の駆動電極ＣＯＭＬ１のうちＹ軸方向で隣り合う２つの駆動電極ＣＯＭＬ１の間に位置する部分の基板３１と重なるように、配置されている。複数の導電線ＭＬ８の各々は、複数の駆動電極ＣＯＭＬ１のうちＸ軸方向で隣り合う２つの駆動電極ＣＯＭＬ１の間に位置する部分の基板３１と重なるように、配置されている。そして、補助電極ＡＥ２は、複数の導電線ＭＬ７と複数の導電線ＭＬ８とにより区画され、平面視において、四角形状を有する複数の開口部ＯＰ２を含む。複数の開口部ＯＰ２は、Ｘ軸方向およびＹ軸方向にマトリクス状に配置されている。
【０２６０】
本第２変形例では、複数の駆動電極ＣＯＭＬ１は、電気泳動表示デバイスの駆動電極として動作し、かつ、タッチ検出デバイスの検出電極ＴＤＬとして動作する。
【０２６１】
なお、図３６に示すように、補助電極ＡＥ２を、例えばバリアフィルム６４の下面に設けることができる。
【０２６２】
本第２変形例でも、図３２および図３３に示した例と同様に、補助電極ＡＥ１が設けられていてもよい。また、タッチ検出動作を行う際に、駆動電極ＣＯＭＬ１からなる検出電極ＴＤＬに供給されるタッチ検出駆動信号Ｖｔｄに含まれる交流信号と同位相の交流信号からなるアクティブシールド駆動信号Ｖａｓが、補助電極ＡＥ１に供給されてもよい。これにより、検出電極ＴＤＬと、アレイ基板２に含まれる各配線との間に発生する寄生容量を除去することができ、タッチ検出の検出感度を増加させることができる。ただし、補助電極ＡＥ１が設けられていなくてもよい。
【０２６３】
また、本第２変形例では、図３６および図３７に示すように、平面視において、駆動電極ＣＯＭＬ１と駆動電極ＣＯＭＬ２との間に配置された部分の補助電極ＡＥ１上に、補助電極ＡＥ２が設けられている。また、タッチ検出動作を行う際に、駆動電極ＣＯＭＬ１からなる検出電極ＴＤＬに供給されるタッチ検出駆動信号Ｖｔｄに含まれる交流信号と同位相の交流信号からなるアクティブシールド駆動信号Ｖａｓが、補助電極ＡＥ２に供給される。これにより、補助電極ＡＥ２が設けられない場合に比べ、検出電極ＴＤＬと、検出電極ＴＤＬの周辺の各部分であって上側の部分との間に発生する寄生容量を除去することができ、タッチ検出の検出感度をより確実に増加させることができる。
【０２６４】
それ以外の部分については、図３２および図３３に示した例と同様にすることができる。
【０２６５】
＜タッチ検出機能付き表示デバイスの第３変形例＞
次に、図３８および図３９を参照し、タッチ検出機能付き表示デバイスの第３変形例を説明する。本第３変形例では、タッチ検出機能付き表示デバイスは、表示デバイスの上に、タッチ検出デバイスを装着した表示デバイスである。そして、本第３変形例では、複数の駆動電極ＣＯＭＬ１がタッチ検出デバイスの検出電極としてではなく、アクティブシールド駆動信号Ｖａｓ（図２９参照）が供給される電極として設けられている。
【０２６６】
図３８は、実施の形態２の第３変形例のタッチ検出機能付き表示デバイスを示す断面図である。図３９は、実施の形態２の第３変形例における駆動電極および補助電極の構成を模式的に示す平面図である。また、図３８は、図３９のＡ−Ａ線に沿った断面図である。
【０２６７】
本第３変形例では、対向基板３は、基板３１と、駆動電極ＣＯＭＬ１と、を有する。駆動電極ＣＯＭＬ１は、平面視において、表示領域Ａｄまたはタッチ検出領域Ａｔで、基板３１の下面に設けられている。なお、複数の駆動電極ＣＯＭＬ１は、基板３１の上面に設けられてもよい。
【０２６８】
本第３変形例では、保護基板６は、複数の検出電極ＴＤＬ１と、複数の検出電極ＴＤＬ２と、を有する。複数の検出電極ＴＤＬ１および複数の検出電極ＴＤＬ２は、平面視において、表示領域Ａｄまたはタッチ検出領域Ａｔで、保護基板６に含まれるバリアフィルム６４の上面に設けられている。また、保護膜ＰＦ１は、バリアフィルム６４の上面に、複数の検出電極ＴＤＬ１および複数の検出電極ＴＤＬ２を覆うように、設けられている。
【０２６９】
複数の検出電極ＴＤＬ１は、平面視において、Ｘ軸方向にそれぞれ延在し、かつ、Ｙ軸方向に配列されている。複数の検出電極ＴＤＬ１の各々は、複数の電極部ＣＰ１と、複数の接続部ＣＮ１と、を含む。複数の電極部ＣＰ１の各々、および、複数の接続部ＣＮ１の各々は、表示領域Ａｄまたはタッチ検出領域Ａｔで、バリアフィルム６４の上面に設けられている。複数の電極部ＣＰ１は、平面視において、Ｘ軸方向に配列されている。また、Ｘ軸方向で隣り合う２つの電極部ＣＰ１は、接続部ＣＮ１により、電気的に接続されている。
【０２７０】
複数の検出電極ＴＤＬ２は、平面視において、Ｙ軸方向にそれぞれ延在し、かつ、Ｘ軸方向に配列されている。複数の検出電極ＴＤＬ２の各々は、複数の電極部ＣＰ２と、複数の接続部ＣＮ２と、を含む。複数の電極部ＣＰ２の各々は、表示領域Ａｄまたはタッチ検出領域Ａｔで、バリアフィルム６４の上面に設けられている。複数の電極部ＣＰ２は、平面視において、Ｙ軸方向に配列されている。また、Ｙ軸方向で隣り合う２つの電極部ＣＰ２は、接続部ＣＮ２により、電気的に接続されている。
【０２７１】
図３８および図３９に示す例では、複数の検出電極ＴＤＬ１と、複数の検出電極ＴＤＬ２と、が同層に設けられている。そのため、接続部ＣＮ２は、電極部ＣＰ２と異なる層に設けられており、図示しない絶縁膜を介して、接続部ＣＮ１の各々をそれぞれ跨ぐように設けられている。
【０２７２】
本第３変形例でも、駆動電極ＣＯＭＬ１に、駆動電極ドライバ１４により表示駆動信号Ｖｃｏｍｄ（図２９参照）が供給され、選択された部分表示領域Ａｄｐ（図１３参照）で、選択された１水平ラインに属する副画素ＳＰｉｘの各々に含まれる画素電極２２に対して、ソースドライバ１３により画素信号Ｖｐｉｘ（図２９参照）が供給される。このようにして、選択された部分表示領域Ａｄｐで、複数の画素電極２２の各々と複数の駆動電極ＣＯＭＬ１の各々との間に電界が形成されることにより、選択された部分表示領域Ａｄｐで、１水平ラインずつ画像の表示が行われる。
【０２７３】
ただし、本第３変形例では、駆動電極ＣＯＭＬ１は、表示領域Ａｄにおいて一体として設けられているため、１フレーム期間１Ｆのいずれの表示動作期間Ｐｄにおいても、一体として設けられた駆動電極ＣＯＭＬ１に表示駆動信号Ｖｃｏｍｄが供給される。
【０２７４】
本第３変形例では、駆動電極ＣＯＭＬ１は、電気泳動表示デバイスの駆動電極として動作する。一方、本第３変形例では、検出電極ＴＤＬ１および検出電極ＴＤＬ２が、タッチ検出デバイスの検出電極として動作する。すなわち、本第３変形例では、対向基板３に含まれる駆動電極ＣＯＭＬ１は、タッチ検出デバイスの検出電極としては動作しない。
【０２７５】
本第３変形例では、タッチ検出動作を行う際に、検出電極ＴＤＬ１および検出電極ＴＤＬ２に供給されるタッチ検出駆動信号Ｖｔｄ（図２９参照）に含まれる交流信号と同位相の交流信号からなるアクティブシールド駆動信号Ｖａｓ（図２９参照）が、駆動電極ＣＯＭＬ１に供給される。すなわち、本第３変形例では、駆動電極ＣＯＭＬ１が、タッチ検出動作を行う際に、アクティブシールド電極として動作する。
【０２７６】
具体的には、走査駆動部５０（図２９参照）が、複数の検出電極ＴＤＬ１または複数の検出電極ＴＤＬ２にタッチ検出駆動信号Ｖｔｄを供給し、かつ、駆動電極ＣＯＭＬ１にアクティブシールド駆動信号Ｖａｓを供給する。そして、その際に、タッチ検出部４０ａ（図２９参照）が、複数の検出電極ＴＤＬ１と複数の検出電極ＴＤＬ２の各々の静電容量に基づいて入力位置を検出する。
【０２７７】
これにより、検出電極ＴＤＬ１または検出電極ＴＤＬ２と、アレイ基板２に含まれる各配線との間、または、検出電極ＴＤＬ１または検出電極ＴＤＬ２の周辺の部分との間に発生する寄生容量を除去することができ、タッチ検出の検出感度を増加させることができる。
【０２７８】
それ以外の部分については、図３２および図３３に示した例と同様にすることができる。
【０２７９】
なお、複数の接続部ＣＮ１および複数の接続部ＣＮ２を設けず、図３６および図３７を用いて説明した接続方法と同様の接続方法により、複数の電極部ＣＰ１および複数の電極部ＣＰ２のいずれをも、個別にタッチ駆動および検出信号増幅部４２ａと接続することもできる。これにより、入力位置を位置精度よく検出することができる。
【０２８０】
（各実施の形態における主要な特徴と効果）
実施の形態１およびその各変形例、実施の形態２、ならびに実施の形態２の第１変形例および第２変形例では、表示装置は、基板２１と、基板２１と対向配置された基板３１と、基板２１と基板３１との間に挟まれた電気泳動層５と、基板２１に設けられた複数の画素電極２２と、基板３１に設けられた複数の駆動電極ＣＯＭＬ１と、を有する。複数の画素電極２２の各々と複数の駆動電極ＣＯＭＬ１の各々との間に電界が形成されることにより、画像が表示され、複数の駆動電極ＣＯＭＬ１の各々の静電容量に基づいて入力位置が検出される。
【０２８１】
これにより、電気泳動層を備える表示装置において、画像を表示するための駆動電極を、入力位置を検出するための電極としても動作させることができる。
【０２８２】
また、実施の形態１およびその各変形例、実施の形態２、ならびに実施の形態２の第１変形例および第２変形例では、走査駆動部５０は、表示駆動処理ＤＰと検出駆動処理ＴＰとを、部分表示領域Ａｄｐを順次循環的に変更し、かつ、部分検出領域Ａｔｐを順次循環的に変更しながら、交互に繰り返す。また、表示装置に備えられたタッチ検出部は、検出駆動処理ＴＰにおいて、選択された部分検出領域Ａｔｐに配置された駆動電極ＣＯＭＬ１の静電容量に基づいて、選択された部分検出領域Ａｔｐで入力位置を検出する。
【０２８３】
これにより、電気泳動層を備える表示装置では、液晶表示装置に比べ、表示を書き換える速度が遅く、表示を書き換える周波数に対するタッチ検出を繰り返す周波数の比が大きいが、液晶表示装置と同程度に、電気泳動層を備える表示装置において、タッチ検出の応答性を向上させることができる。
【０２８４】
また、実施の形態１およびその各変形例、実施の形態２、ならびに実施の形態２の第１変形例および第２変形例では、入力装置を表示装置と一体的に設けることができるので、表示装置の厚さを容易に薄くすることができる。また、入力装置を含めた表示装置全体の厚さが薄くなることにより、表示装置に表示される画像の視認性を向上させることができる。
【０２８５】
以上、本発明者によってなされた発明をその実施の形態に基づき具体的に説明したが、本発明は前記実施の形態に限定されるものではなく、その要旨を逸脱しない範囲で種々変更可能であることはいうまでもない。
【０２８６】
本発明の思想の範疇において、当業者であれば、各種の変更例および修正例に想到し得るものであり、それら変更例および修正例についても本発明の範囲に属するものと了解される。
【０２８７】
例えば、前述の各実施の形態に対して、当業者が適宜、構成要素の追加、削除もしくは設計変更を行ったもの、または、工程の追加、省略もしくは条件変更を行ったものも、本発明の要旨を備えている限り、本発明の範囲に含まれる。
【産業上の利用可能性】
【０２８８】
本発明は、表示装置に適用して有効である。
【符号の説明】
【０２８９】
１、１ａ  表示装置
１Ｆ  １フレーム期間
１Ｈ  １水平期間
２  アレイ基板
３  対向基板
５  電気泳動層
６  保護基板
７  封止部
１０、１０ａ  タッチ検出機能付き表示デバイス
１１  制御部
１２  ゲートドライバ
１３  ソースドライバ
１４  駆動電極ドライバ
１９  ＣＯＧ
２０  電気泳動表示デバイス（表示デバイス）
２１、３１、６１  基板
２２  画素電極
２３  絶縁膜
２３ａ  ゲート電極
２３ｂ  絶縁膜
２３ｃ  ソース電極
２３ｄ  半導体層
２３ｅ  ドレイン電極
２３ｆ  層間樹脂膜
２３ｇ  絶縁膜
２３ｈ  開口部
３０、３０ａ  タッチ検出デバイス
４０、４０ａ  タッチ検出部
４２  タッチ検出信号増幅部
４２ａ  タッチ駆動および検出信号増幅部
４３  Ａ／Ｄ変換部
４４  信号処理部
４５  座標抽出部
４６  検出タイミング制御部
５０  走査駆動部
５１  マイクロカプセル
５２  分散液
５３  黒色微粒子
５４  白色微粒子
６２  カラーフィルタ層
６２Ｂ、６２Ｇ、６２Ｒ  色領域
６３  光学フィルム
６４  バリアフィルム
７１  導通部
Ａｄ  表示領域
Ａｄｐ、Ａｄｐ１、Ａｄｐ２  部分表示領域
ＡＥ１、ＡＥ２  補助電極
ＡＥＧ  補助電極群
Ａｔ  タッチ検出領域
Ａｔｐ、Ａｔｐ１、Ａｔｐ２、Ａｔｐｐ  部分検出領域
ＡＶＤＰ、ＤＰ  表示駆動処理
ＡＶＴＰ、ＴＰ  検出駆動処理
ＢＢ、ＢＷ、ＷＢ、ＷＷ  レベル
Ｃ１  容量素子
Ｃ２  静電容量
Ｃａｐ  容量
ＣＮ１、ＣＮ２  接続部
ＣＯＭＬ１、ＣＯＭＬ２  駆動電極
ＣＰ１、ＣＰ２  電極部
Ｃｒ１、Ｃｘ  静電容量
Ｄ  誘電体
ＤＤ、ＤＴ  駆動処理
ＤＥＴ  電圧検出器
ＤＲＶＬ  駆動電極
ＤＳＴ１、ＤＳＴ２  距離
Ｅ１  駆動電極
Ｅ２  検出電極
ＥＦ１  電界
ＥＰ  電気泳動素子
ＧＣＬ  走査線
Ｌｖ  階調レベル
ＭＬ１〜ＭＬ８  導電線
ＯＰ１、ＯＰ２  開口部
Ｐｄ、Ｐｄ１、Ｐｄ２  表示動作期間
ＰＦ１  保護膜
Ｐｉｘ  画素
Ｐｔ、Ｐｔ１、Ｐｔ２  タッチ検出動作期間
Ｑ１、Ｑ２  電荷量
Ｒｅｓｅｔ  期間
Ｓ  交流信号源
ＳＣ１  検出回路
Ｓｃａｎ  スキャン方向
Ｓｇ  交流矩形波
ＳＧＬ  信号線
ＳＰｉｘ  副画素
ＳＷ  切替部
ＳＷ１  スイッチ
ＴＤＤ  ダミー電極
ＴＤＬ、ＴＤＬ１、ＴＤＬ２  検出電極
ＴＭ  端子部
Ｔｒ  ＴＦＴ素子
ｔｓ  サンプリングタイミング
Ｖａｓ  アクティブシールド駆動信号
Ｖｃｏｍｄ  表示駆動信号
Ｖｃｏｍｔ、Ｖｔｄ  タッチ検出駆動信号
Ｖｄｄ  電源
Ｖｄｅｔ  検出信号
Ｖｄｉｓｐ  映像信号
Ｖｏｕｔ  信号出力
Ｖｐｉｘ  画素信号
Ｖｓｃａｎ  走査信号
Ｖｓｉｇ  画像信号
ｗｗＰｂｂ、ｗｗＰｂｗ、ｗｗＰｗｂ、ｗｗＰｗｗ  パターン
ＷＲ１、ＷＲ２  引き回し配線
【手続補正２】
【補正対象書類名】図面
【補正対象項目名】図２０
【補正方法】変更
【補正の内容】
【図２０】
2016018277.tif 000001